【事件の表示】
　特許第２９９５４２８号「遊技機」の請求項１、２に係る特許に対する特許異議の申立てについて、次のとおり決定する。
【結　論】
　訂正を認める。
　特許第２９９５４２８号の請求項１ないし２に係る特許を取り消す。
【理　由】
【１】手続きの経緯
　特許２９９５４２８号の請求項１、２に係る発明は、平成３年４月９日に特許出願され、平成１１年１０月２９日に特許の設定登録がなされた。
　これに対して、「河井清悦」より特許異議の申立てがなされ、取消理由通知がなされ、その指定期間内である平成１２年１２月１２日に訂正請求がなされた。
【２】訂正の適否についての判断
（１）訂正の内容
１．特許請求の範囲の訂正
　請求項１を下記のとおり訂正。
「【請求項１】挿入されたカードに記憶されている有価データの範囲内で、遊技者の球貸要求に基づき所要の球貸処理を行うカードユニットから送信される球貸要求の信号に基づいて、球貸しのための遊技球の排出制御を行う球貸排出制御手段を有する排出制御回路を備えた遊技機であって、前記球貸排出制御手段は、球貸のための遊技球の排出制御が可能であることを、前記カードユニットへ連絡するための球貸排出可能信号を送信する球貸排出可能状態連絡手段を備え、当該球貸排出可能状態連絡手段から送信する前記球貸排出可能信号と、前記カードユニットより送信される前記球貸要求の信号は、交信信号を負論理として、発光素子及び受光素子から構成されるフォトカプラにより電気的絶縁状態を保持して送受信を行うようにしたことを特徴とする遊技機。」
  請求項２を下記のとおり訂正。   
「【請求項２】前記球貸排出制御手段は、前記球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号を送信するようにし、当該球貸最小単位量排出完了信号は、交信信号を負論理として、発光素子及び受光素子から構成されるフォトカプラにより電気的絶縁状態を保持して送受信を行うようにしたことを特徴とする請求項１に記載の遊技機。」
２．発明の詳細な説明の訂正
　特許明細書の段落【００１０】を下記のとおり訂正。
「【課題を解決するための手段】上記課題を解決するために、請求項１に係る遊技機は、挿入されたカード（例えば、プリペイドカード１３１）に記憶されている有価データの範囲内で、遊技者の球貸要求に基づき所要の球貸処理を行うカードユニット（カード制御装置９を収納した補助枠１２７）から送信される球貸要求の信号（例えば、球貸要求信号）に基づいて、球貸しのための遊技球の排出制御を行う球貸排出制御手段（例えば、排出制御手段１５８）を有する排出制御回路（例えば、排出制御装置１３３）を備えた遊技機であって、前記球貸排出制御手段は、球貸のための遊技球の排出制御が可能であることを、前記カードユニットへ連絡するための球貸排出可能信号（例えば、Ｐ台レディ信号）を送信する球貸排出可能状態連絡手段（例えば、貸球排出手段１８２）を備え、当該球貸排出可能状態連絡手段から送信する前記球貸排出可能信号と、前記カードユニットより送信される前記球貸要求の信号は、交信信号を負論理として、発光素子（例えば、フォトダイオード２２１ａ）及び受光素子（例えば、フォトトランジスタ２２１ｂ）から構成されるフォトカプラ（例えば、第３フォトカプラ２２４，第４フォトカプラ２２７）により電気的絶縁状態を保持して送受信を行うようにしたことを特徴とする。」
  特許明細書の段落【００１１】を下記のとおり訂正。
「また、請求項２に係る遊技機は、上記請求項１において、前記球貸排出制御手段が、前記球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号（例えば、払出完了信号）を送信するようにし、当該球貸最小単位量排出完了信号は、交信信号を負論理として、発光素子及び受光素子から構成されるフォトカプラ（例えば、第１フォトカプラ２２１）により電気的絶縁状態を保持して送受信を行うようにしたことを特徴とする。」
（２）訂正の目的の適否、新規事項の有無及び拡張・変更の存否
１．特許請求の範囲の訂正
　上記訂正は、訂正前の請求項１、２に、明細書に記載されていた実施例に即して下位概念の限定を加えたものであり、特許請求の範囲の減縮に該当し、新規事項の追加に該当せず、実質的に特許請求の範囲を拡張又は変更するものでもない。
２．発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項および第３項の規定に適合するので、当該訂正を認める。
【３】特許異議の申立についての判断
（１）本件発明
　上記（２）で示したように上記訂正が認められるから、本件請求項１、２に係る発明は、上記訂正に係る訂正明細書の請求項１、２に記載された事項により特定されるとおりのものである。
（２）先願発明
　異議申立人が提示した、先願（特願平３−７３３８４号（特開平４−３０９３９１号）、甲第１号証）の願書に最初に添付した明細書又は図面）には、下記の事項が記載されている。
「遊技者所有の有価価値が特定可能な情報が記録された記録媒体を含み、該記録媒体の記録情報によって特定された前記有価価値を用いて所定の遊技用有価価値が確保され、該確保された遊技用有価価値を使用して遊技機による遊技が可能となる遊技場の管理設備装置であって、前記記録媒体の記録情報によって特定される有価価値の一部を前記遊技用有価価値として前記遊技機に使用するべく引落とす引落し条件が成立したことを判定する引落し条件判定手段と、該引落し条件判定手段の判定出力に基づいて、前記記録媒体の記録情報によって特定される有価価値から引落されるべき引落し有価価値に相当する遊技用有価価値を遊技使用のために確保する確保手段と、該確保手段によって前記遊技用有価価値が確保されたことを条件として、前記記録媒体の記録情報によって特定される有価価値から前記引落し有価価値を減算する減算手段とを含むことを特徴とする、遊技場の管理設備装置。」【請求項１】、
「パチンコ遊技機６０の左右方向一側部（図面では左側）にはカード処理機６２がパチンコ遊技機６０に対し分離可能な状態で設けられている。」【００１１】、
「遊技者がこのカード挿入・排出口１３３にカードを挿入してその挿入カードが適正でかつカード残額が残っている場合で玉貸操作が可能な場合には、カード処理機制御部１３５からパチンコ遊技機６０側に玉貸可ＬＥＤ点灯用の制御信号が出力されて玉貯留皿５９に設けられている玉貸可ＬＥＤ（玉貸可表示器）４８ｄが点灯される。この玉貸可ＬＥＤ（玉貸可表示器）４８ｄは玉貸操作ができる旨を点灯表示するものである。遊技者がこの玉貸可ＬＥＤ（玉貸可表示器）４８ｄの点灯していることを確認して玉貸ボタン４４ｃを押圧操作する。すると、後述するたとえばロータリスイッチ等からなる貸玉額設定スイッチ１３７によって予め設定されている一回の玉貸操作により払出される貸玉額（以下、単に貸玉額という）分の遊技玉（パチンコ玉）が打球供給皿５９内に払出される。」【００１２】、 
「図１９は、カード処理機制御部の制御回路を示すブロック図である。」【００６５】、　
「カード処理機制御部１３５（図２参照）にはカード処理機制御用マイクロコンピュータ３００が組込まれている。カード処理機制御用マイクロコンピュータ３００は以下に述べるような各種機器の動作を制御する機能を有する。」【００６６】、　
「遊技者が貸玉ボタン４４ｃ（図１参照）を押圧操作すれば、その押圧操作が玉貸操作検出器４４ｄにより検出され、その検出信号が中継端子基板１３８、検出回路３０９を介してカード処理機制御用マイクロコンピュータ３００に入力される。」【００７１】、　
「払出制御用マイクロコンピュータ３５０から中継端子基板１３８、情報入力回路３１２を介して、後述する払出可能信号、玉貸準備信号、貸玉完了信号が入力される。この情報入力回路３１２はフォトカプラが内蔵されており、払出制御用マイクロコンピュータ３５０からの前述した各種信号がフォトカプラを介してカード処理機制御用マイクロコンピュータ３００に入力される。このようにフォトカプラを介して信号が入力されるために、払出制御用マイクロコンピュータ３５０に発生した故障による悪影響がカード処理機制御用マイクロコンピュータ３００にまで及ばないために、払出制御用マイクロコンピュータ３５０の故障に起因してカード処理機制御用マイクロコンピュータ３００まで故障してしまうという不都合が極力防止できる。」【００７２】、
「図２０は、払出制御基板ボックス１４５（図２参照）に収納されている払出制御基板の払出制御回路を示すブロック図である。」【００７５】、
「払出制御回路には払出制御用マイクロコンピュータ３５０が設けられている。」【００７６】、　
「カード処理機制御用マイクロコンピュータ３００から中継端子基板１３８、情報入力回路３６５を介して、玉貸要求信号が入力される。この情報入力回路３６５にはフォトカプラが設けられており、ゲーム制御用マイクロコンピュータ３７０とカード処理機制御用マイクロコンピュータ３００から入力される前述した信号がそのフォトカプラを介して払出制御用マイクロコンピュータ３５０に入力される。その結果、ゲーム制御用マイクロコンピュータ３７０とカード処理機制御用マイクロコンピュータ３００とに発生した故障の悪影響が払出制御用マイクロコンピュータ３５０にまで及ぶことを防止でき、ゲーム制御用マイクロコンピュータ３７０またはカード処理機制御用マイクロコンピュータ３００に発生した故障に起因して払出制御用マイクロコンピュータ３５０も故障してしまうという不都合を極力防止できる。」【００７９】、
「次にＳ４に進み、払出制御用マイクロコンピュータから払出可能信号が入力されたか否かの判断が行なわれ、入力されるまで待機する。払出制御用マイクロコンピュータでは、後述する玉確認センサＡ、Ｂがともに玉有を検出し、満タン状態でなく、タンク玉センサが玉を検出している場合に払出可能信号をカード処理機制御用マイクロコンピュータに出力するのであり（払出制御用マイクロコンピュータからの出力処理はフローチャートを省略している）、カード処理機制御用マイクロコンピュータではそれを受けてＳ４によりＹＥＳ判断を行なう。．．．一方、遊技者が玉貸ボタン４４ｃ（図１参照）を押圧操作すれば、Ｓ１３に進み、挿入カードの現在残高すなわちカード残高表示器５０（図１参照）に表示されている残高が貸玉額設定スイッチ１３７（図２参照）で設定された設定額以上であるか否かの判断が行なわれる。そして、現在残高が設定額以上であった場合にはＳ１４により貸玉額にその設定額をセットする処理がなされてＳ１６に進む。一方、現在残高が設定額未満であった場合にはＳ１５により貸玉額に現在残高をセットした後にＳ１６に進む。つまり、挿入カードの現在残高が設定額に満たない場合には、その設定額を貸玉額にセットしてその設定額分のパチンコ玉を払出すわけにはいかないため、挿入カードによって払出が可能な最高金額すなわち挿入カードの現在残高を貸玉額にセットする処理がなされるのである。」【００８５】、                    
「次にＳ１７に進み、払出制御用マイクロコンピュータに玉貸要求信号の出力を開始する制御がなされる。」【００８６】、
「一方、Ｓ２４により払出制御用マイクロコンピュータから玉貸準備信号の入力があったと判断された場合にはＳ２９に進み、返却可表示器４６ｄが消灯されて返却操作ができない旨を表示し、Ｓ３０に進み、タイマＴ３がセットされる。このタイマＴ３は、パチンコ遊技機側での貸玉の払出に要する時間を考慮してたとえば１０ｓｅｃ程度に設定されている。このタイマＴ３が終了する以前において払出制御用マイクロコンピュータから貸玉完了信号の入力があった場合にはＳ３５に進む．．．一方、Ｔ３が終了する以前に払出制御用マイクロコンピュータから玉貸完了信号が入力されればＳ３５により、現在残高から単位額を減算し、貸玉額から単位額を減算する処理がなされる。払出制御用マイクロコンピュータから玉貸完了信号が入力されたということは、パチンコ遊技機側で単位額（たとえば１００円）に相当するパチンコ玉が貸出されたことを意味するために、その貸出されたパチンコ玉に相当する金額である単位額を、挿入カードの現在残高から減算するとともにＳ１４、Ｓ１５でセットされた貸玉額からその単位額を減算するのである。」【００８８】、　
「以上説明したように、パチンコ遊技機側で単位額（たとえば１００円）に相当するパチンコ玉（たとえば２５個）が貸出されるごとに払出制御用マイクロコンピュータからカード処理機制御用マイクロコンピュータに玉貸完了信号が出力されるのであり、カード処理機制御用マイクロコンピュータではその出力信号を入力するたびに貸玉額（Ｓ１４、Ｓ１５を参照）分のパチンコ玉がすべて貸出されたか否かの判断を行ない、未だに貸出されていない未貸出分がある場合にはその未貸出分をすべて貸出すまで前記単位額（たとえば１００円）のパチンコ玉の貸出を繰返し行なうのである。」【００９０】、　
「価値確保に関する異常事態が発生したとしても記録媒体の記録情報によって特定される遊技者所有の有価価値から引落し有価価値が減算されることが極力防止されるために、遊技者が不測に不利益を被ることが極力防止できる。」【０１２１】
（３）対比・判断
１．訂正後の請求項１に係る発明と上記先願発明とを対比すると、上記先願発明の「カード処理機」、「玉貸要求信号」、「払出制御基板の払出制御回路」、「払出可能信号」が、請求項１に係る発明の「カードユニット」、「球貸要求の信号」、「排出制御回路」、「球貸排出可能信号」にそれぞれ相当するから、両者は、挿入されたカードに記憶されている有価データの範囲内で、遊技者の球貸要求に基づき所要の球貸処理を行うカードユニットから送信される球貸要求の信号に基づいて、球貸しのための遊技球の排出制御を行う球貸排出制御手段を有する排出制御回路を備えた遊技機であって、前記球貸排出制御手段は、球貸のための遊技球の排出制御が可能であることを、前記カードユニットへ連絡するための球貸排出可能信号を送信する球貸排出可能状態連絡手段を備え、当該球貸排出可能状態連絡手段から送信する前記球貸排出可能信号と、前記カードユニットより送信される前記球貸要求の信号は、発光素子及び受光素子から構成されるフォトカプラにより電気的絶縁状態を保持して送受信を行うようにした遊技機である点で一致し、以下の点でのみ一応相違している。
　「交信信号」を本件請求項１に係る発明では負論理として行うのに対して先願発明ではこの点が記載されていない点。
  送受信技術において、その交信信号が「負論理」または「正論理」であること、「負論理」の交信信号は、正論理では区別ができない“０”を出しているのか、機器が接続されているのか区別できるので誤動作を防止することは、本件出願前広く一般に知られた事項（昭和５７年１２月２５日日刊工業新聞社発行矢田光治著「マイクロコンピュータ用語辞典」第３０９頁参照）であり、また、遊技機の分野においても、信号を「負論理」とすることも「正論理」とすることも周知事項（特開昭６４−５６０８３号公報、特開平２−９８３８１号公報、特開平２−２６８７８５号公報、特開昭６０−１４５１７２号公報、特開昭５９−１９８０４６号公報等を参照）である。先願発明には、フォトカプラによる送受信信号を「負論理」とするのか「正論理」とするのかについて記載されていないが、上記広く知られた事項や周知事項および遊技機の分野において誤動作を防ぐことが周知の課題である（実願昭６０−１３６３２５号（実開昭６１−１０９５８７号公報）のマイクロフィルム参照）ことを勘案すれば、先願発明が「交信信号」として「負論理」のものを排除するものとは到底いえず、上記相違する点は、実質的な相違とはいえない。
　したがって、訂正後の本件請求項１に係る発明は、依然として先願発明と同一である。
２．訂正後の請求項２に係る発明と上記先願発明とを対比すると、上記先願発明の「玉貸完了信号」が、請求項２に係る発明の「球貸最小単位量排出完了信号」に相当するから、両者は、前記球貸排出制御手段は、前記球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号を送信するようにし、当該球貸最小単位量排出完了信号は、発光素子及び受光素子から構成されるフォトカプラにより電気的絶縁状態を保持して送受信を行うようにした請求項１に記載の遊技機である点で一致し、以下の点でのみ一応相違している。
　「交信信号」を本件請求項２に係る発明では負論理として行うのに対して先願発明ではこの点が記載されていない点
　　そこで、上記相違点について検討する。
  請求項１に係る発明に対しての相違点の検討で示したように、上記相違点は実質的な相違点とは認められない。
　したがって、訂正後の本件請求項２に係る発明は、依然として先願発明と実質的に同一である。
（４）むすび
　以上のとおりであるから、本件発明は、その出願日前の出願であって、その出願日後に出願公開された上記先願の願書に最初に添付した明細書又は図面に記載された発明と同一であると認められ、しかも本件発明の発明者は前記先願の発明者と同一でもなく、本件出願の時において、その出願人が上記先願の出願人と同一でもないので、本件発明の特許は、特許法第２９条の２第１項の規定に違反してされたものである。
　したがって、本件発明についての特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１３年１月３１日（２００１．１．３１）
【訂正の要旨】
　【２】訂正の内容
（１）特許請求の範囲の訂正
　請求項１を下記のとおり訂正。
「【請求項１】挿入されたカードに記憶されている有価データの範囲内で、遊技者の球貸要求に基づき所要の球貸処理を行うカードユニットから送信される球貸要求の信号に基づいて、球貸しのための遊技球の排出制御を行う球貸排出制御手段を有する排出制御回路を備えた遊技機であって、前記球貸排出制御手段は、球貸のための遊技球の排出制御が可能であることを、前記カードユニットへ連絡するための球貸排出可能信号を送信する球貸排出可能状態連絡手段を備え、当該球貸排出可能状態連絡手段から送信する前記球貸排出可能信号と、前記カードユニットより送信される前記球貸要求の信号は、交信信号を負論理として、発光素子及び受光素子から構成されるフォトカプラにより電気的絶縁状態を保持して送受信を行うようにしたことを特徴とする遊技機。」
　請求項２を下記のとおり訂正。
「【請求項２】前記球貸排出制御手段は、前記球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号を送信するようにし、当該球貸最小単位量排出完了信号は、交信信号を負論理として、発光素子及び受光素子から構成されるフォトカプラにより電気的絶縁状態を保持して送受信を行うようにしたことを特徴とする請求項１に記載の遊技機。」
（２）発明の詳細な説明の訂正
　特許明細書の段落【００１０】を下記のとおり訂正。
「【課題を解決するための手段】上記課題を解決するために、請求項１に係る遊技機は、挿入されたカード（例えば、プリペイドカード１３１）に記憶されている有価データの範囲内で、遊技者の球貸要求に基づき所要の球貸処理を行うカードユニット（カード制御装置９を収納した補助枠１２７）から送信される球貸要求の信号（例えば、球貸要求信号）に基づいて、球貸しのための遊技球の排出制御を行う球貸排出制御手段（例えば、排出制御手段１５８）を有する排出制御回路（例えば、排出制御装置１３３）を備えた遊技機であって、前記球貸排出制御手段は、球貸のための遊技球の排出制御が可能であることを、前記カードユニットへ連絡するための球貸排出可能信号（例えば、Ｐ台レディ信号）を送信する球貸排出可能状態連絡手段（例えば、貸球排出手段１８２）を備え、当該球貸排出可能状態連絡手段から送信する前記球貸排出可能信号と、前記カードユニットより送信される前記球貸要求の信号は、交信信号を負論理として、発光素子（例えば、フォトダイオード２２１ａ）及び受光素子（例えば、フォトトランジスタ２２１ｂ）から構成されるフォトカプラ（例えば、第３フォトカプラ２２４，第４フォトカプラ２２７）により電気的絶縁状態を保持して送受信を行うようにしたことを特徴とする。」
　特許明細書の段落【００１１】を下記のとおり訂正。
「また、請求項２に係る遊技機は、上記請求項１において、前記球貸排出制御手段が、前記球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号（例えば、払出完了信号）を送信するようにし、当該球貸最小単位量排出完了信号は、交信信号を負論理として、発光素子及び受光素子から構成されるフォトカプラ（例えば、第１フォトカプラ２２１）により電気的絶縁状態を保持して送受信を行うようにしたことを特徴とする。」
（５４）【発明の名称】
遊技機
（５７）【特許請求の範囲】
　【請求項１】　挿入されたカードに記憶されている有価データの範囲内で、遊技者の球貸要求に基づき所要の球貸処理を行うカードユニットから送信される球貸要求の信号に基づいて、球貸しのための遊技球の排出制御を行う球貸排出制御手段を有する排出制御回路を備えた遊技機であって、
　前記球貸排出制御手段は、
　球貸のための遊技球の排出制御が可能であることを、前記カードユニットへ連絡するための球貸排出可能信号を送信する球貸排出可能状態連絡手段を備え、
　当該球貸排出可能状態連絡手段から送信する前記球貸排出可能信号と、前記カードユニットより送信される前記球貸要求の信号は、
交信信号を負論理として、
　【請求項２】　前記球貸排出制御手段は、
　前記球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号を送信するようにし、当該球貸最小単位量排出完了信号は、
交信信号を負論理として、
【発明の詳細な説明】
　【０００１】
　【産業上の利用分野】
　本発明は、挿入されたカードに記憶されている有価データの範囲内で、遊技者の球貸要求に基づき所要の球貸処理を行うカードユニットから送信される球貸要求の信号に基づいて、球貸しのための遊技球の排出制御を行う球貸排出制御手段を有する排出制御回路を備えた遊技機に関する。
　【０００２】
　【従来の技術】
　従来の遊技店では、遊技機に併設されて所定数の遊技球を排出する機構を備えた台間球貸装置が広く導入されていた。このような従来の台間球貸装置は、硬貨の投入に基づいて、所定数の遊技球を排出するものであることから、遊技者が台間球貸装置を使用するためには硬貨が必要となり、台間玉貸装置で使用できる硬貨を所持していなかった場合には、遊技中であってもわざわざ両替をしに席を立たねばならない等の煩わしさがあった。そこで、その煩わしさを除くために、予め所定の金額情報（有価データ）が記録されたカードを遊技者に予め購入してもらい、そのカードの挿入に基づいて所定の操作により所定数の遊技球を排出するカード式の台間球貸装置も開発されており、このようなカード式台間球貸装置を採用する遊技店も増えつつある。
　【０００３】
　なお、上述した硬貨投入式台間球貸装置でもカード式台間球貸装置でも、球受取部から遊技球が排出されるものとなっていることから、遊技者が台間球貸装置を使って球を借りる場合、遊技者は、台間球貸装置により排出された遊技球を球受取部から一旦手で受け取って、遊技機の上皿に投入し、遊技を行うものであり、遊技者が直接遊技球を手にすることで、投入金額（もしくは使用した有価データ）分の遊技球が台間球貸装置から排出されたことを認識できるので、台間球貸装置から適正な量の遊技球が排出されていないかのような不信感を遊技者に与える虞がなかった。
　【０００４】
　【発明が解決しようとする課題】
　しかしながら、上述したカード式の台間球貸装置は、重くて嵩張る硬貨を使用することなく所望の遊技球を借りられることから、遊技者の煩雑さをある程度解消したと言えるが、従来のカード式台間球貸装置では、カードを購入した店のみで、購入当日しか使用できないという制限が課されていたため、必ずしも十分に遊技者の便宜を図ったものとはいえなかった。
　【０００５】
　また、上述した従来の台間球貸装置は、独自に遊技球を排出する球排出機構が設けられており、そのため、遊技機及び台間球貸装置が多数設置される設備（いわゆる島設備）に台間球貸装置を組み込む際にも複雑な構造を要求するものとなっていた。例えば、遊技機裏面に設けられ、賞球を排出するための予備球を貯留するタンクヘ島設備内の遊技球循環機構から遊技球を補給する機構の他に、台間球貸装置へも遊技球を補給する機構が必要となっており、遊技機のタンクと台間球貸装置とに補給する遊技球を振り分ける必要があった。
　【０００６】
　そこで、プリペイドカードを使った遊技球貸出システムが提案されており、この遊技球貸出システムによれば、カード購入店で購入当日にしか使用できないという制限を無くすことができ、遊技者の便に供することができるだけでなく、遊技球の排出を遊技機に備えられている球排出機構を利用して行うことから、島設備の遊技球循環機構から台間球貸装置へ遊技球を供給する必要がないので、島設備の構造も簡略になるというメリットがある。しかも、遊技機側の球排出機構を使用して球貸を行うことから、球貸分の遊技球が排出されるとそのまま上皿に案内されるので、遊技者は遊技球に直接触る必要がないので手が汚れないし、球を床にこぼすこともないので、遊技中に球貸を受ける場合であっても遊技に集中できるという利点もある。
　【０００７】
　また、既存の島設備と配置構成の互換性が保てるように、挿入されたカードに記憶されている有価データの範囲内で遊技者の球貸要求に基づき所要の球貸処理を行う機能を備えるカードユニットを、台間球貸装置の挿着部分に配置し、前記カードユニットから送信される球貸要求の信号に基づいて、球貸しのための遊技球の排出制御を行う球貸排出制御手段を有する排出制御回路を遊技機に設けたものが提案されている。
　【０００８】
　しかも、カードユニットと遊技機とを別設することで、保守や修理が容易になるし、カードユニットもしくは遊技機の何れか一方が故障したときには、故障した方のみを完動品と交換して対処することもできる。また、比較的頻繁に行われる遊技機の入れ替え時には、カードユニットを残して継続使用できるので、遊技店の経済的負担も軽減できる。加えて、カードユニットには遊技球排出機構を設ける必要がないことから、カードユニット自体の構造を簡略化でき、低コストで供給できる。
　【０００９】
　このように、カードユニットとそれに対応した遊技機とで球貸処理を行うシステムは非常にメリットのある提案であるが、旧来の台間球貸装置の如く独自の球排出機構を備えていないことから、球貸処理によって遊技機側の球排出機構より排出された遊技球の量を遊技者が直に手で受けて確認することができないため、遊技者の球貸要求に基づく球貸処理が確実に行われていなければ遊技者に不信感を与える虞があり、球貸処理の正確性・安全性が強く要求されることとなるが、従来の提案では十分な対策はなされていなかったのである。また、球貸処理に際して、カードユニットと遊技機とを電気的に導通状態として信号の送受信を行うと、一方の装置が損壊する等して過大な電流が信号線を介して他方の装置に流れる危険性があり、双方の装置がダウンする虞がある。このようなカードユニットと遊技機側との接続についても安全面を考慮した対策が必要である。
　【００１０】
　【課題を解決するための手段】
　上記課題を解決するために、請求項１に係る遊技機は、挿入されたカード（例えば、プリペイドカード１３１）に記憶されている有価データの範囲内で、遊技者の球貸要求に基づき所要の球貸処理を行うカードユニット（カード制御装置９を収納した補助枠１２７）から送信される球貸要求の信号（例えば、球貸要求信号）に基づいて、球貸しのための遊技球の排出制御を行う球貸排出制御手段（例えば、排出制御手段１５８）を有する排出制御回路（例えば、排出制御装置１３３）を備えた遊技機であって、前記球貸排出制御手段は、球貸のための遊技球の排出制御が可能であることを、前記カードユニットへ連絡するための球貸排出可能信号（例えば、Ｐ台レディ信号）を送信する球貸排出可能状態連絡手段（例えば、貸球排出手段１８２）を備え、当該球貸排出可能状態連絡手段から送信する前記球貸排出可能信号と、前記カードユニットより送信される前記球貸要求の信号は、
交信信号を負論理として、
　【００１１】
　また、請求項２に係る遊技機は、上記請求項１において、前記球貸排出制御手段が、前記球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号（例えば、払出完了信号）を送信するようにし、当該球貸最小単位量排出完了信号は、
交信信号を負論理として、
　【００１２】
　【作用】
　したがって、請求項１に係る遊技機においては、遊技機の球貸排出制御手段に設けた球貸排出可能状態連絡手段から球貸排出可能信号が送信されているか否かによって、カードユニットは、当該遊技機が球貸のための遊技球の排出制御が可能か否かを知ることができ、球貸排出制御手段からカードユニットへ送信される球貸排出可能信号とカードユニットから球貸排出制御手段へ送信される球貸要求の信号は、電気的絶縁状態を保持して送受信される。
　【００１３】
　また、請求項２に係る遊技機においては、遊技機の球貸排出制御手段が、球貸要求信号に対応して実行する球貸のための遊技球の排出を、球貸の最小単位量毎に排出制御するとともに、最小単位量の排出が終了したことに基づいて、前記カードユニットへ最小単位量の球貸が完了したことを連絡するための球貸最小単位量排出完了信号を送信するものとしたので、カードユニットは、球貸最小単位量を基準とした球貸動作の進行状況を知ることができ、球貸排出制御手段からカードユニットへ送信される球貸最小単位量排出完了信号は電気的絶縁状態を保持して送受信される。
　【００１４】
　【実施例】
　次に、本発明に係る遊技機の実施例を添付図面に基づいて詳細に説明する。なお、本発明に係る遊技機はカードユニットと別体としたものであるが、先ず、カードユニットの機能を遊技機へ一体的に組み込んだパチンコ機１に基づいて、遊技機とカードユニットに分散させる諸機能の具体的構成を以下に説明する。
　【００１５】
　パチンコ機１は図１に示すように、中空箱枠状の機枠２の前面側へ額縁状の前面枠３を回動可能に設け、該前面枠３に開設した窓部４を後方から塞ぐように遊技盤５を配設してあり、該遊技盤５に遊技媒体たる遊技球を発射し、各種入賞具（後に詳述）に入賞することによって、賞球が得られるパチンコ遊技を行えるようにしてある。また、前面枠３の下部適所には打球発射用の球発射機構を操作するための操作ハンドル６、球発射機構へ供給する球を貯留する球供給皿７、この球供給皿７の下方に設けられた球受皿８等を適宜に設けてある。
　【００１６】
　上記球受皿８の側方にはカード制御装置９（後に詳述）を設けてあり、このカード制御装置９はカード挿排口１０より挿入されたプリペイドカード（所定の金額で予め販売されるパチンコ遊技用のカードであって、通貨と等価な有価データを磁気記録部に記憶させたものをいう）の有価データを読み取ると共に、例えば球供給皿７に設けた第１〜第４選択スイッチ１１ａ〜１１ｄよりなる球貸ボタン１１の何れかを遊技客が選択することに応じて所定数の遊技球を貸し出し、貸し出した遊技球に相当する通貨を減算した値にプリペイドカードの有価データを書き換え、返却ボタン１２を遊技客が選択するか、もしくはプリペイドカードの有価データの残数が“０”になった場合に、カード挿排口１０へ挿入されたプリペイドカードを排出するのである。
　【００１７】
　なお、上記した球貸ボタン１１を構成する第１〜第４選択スイッチ１１ａ〜１１ｄの各近傍には、第１〜第４選択表示部１３ａ〜１３ｄよりなる球貸ボタン押圧表示部１３を設けてあり、該球貸ボタン押圧表示部１３を点灯表示させることによって、遊技者は自らが選択した選択スイッチ１１ａ〜１１ｄを確認できるようにしてある。また、この球貸数のセットに際しては、球貸可能な最小単位（例えば１００円）を“１度数”として、選択スイッチに応じた度数を球貸数としてセットするようにしてもよいし、唯一の選択スイッチが球貸ボタンとして設けてあるような場合には、該スイッチを１回選択する毎に予め設定した球貸数（実際の球数でも度数でもよい）がセットされるようにしてもよい。
　【００１８】
　上記球貸ボタン１２を選択することによってプリペイドカードの磁気記憶部に記録された有価データが減ぜられた残りの有価データに基づく残高を遊技者が把握できるように、球供給皿７における遊技者の視認可能な適所には残高表示部１４（例えば第１〜第３表示部１４ａ，１４ｂ，１４ｃより構成）を設けてある。なお、カード挿排口１０の上方適所には、挿入時におけるプリペイドカードの残高を表示するための挿入残高表示部１５（例えば第１〜第３表示部１５ａ〜１５ｃより構成）を設けて、一旦挿入されたプリペイドカードが排出されるまで、挿入時の残高を継続的に表示させる。斯くすることによって、遊技者が当該パチンコ機１にプリペイドカードを挿入してから、どの程度の球貸要求をしたかを把握できるのである。
　【００１９】
　また、上記挿入残高表示部１５の一側方（図１においては右側）には、カード制御装置９内にプリペイドカードが挿入された状態であることを表示するためのカード保持表示部１６を設けると共に、当該パチンコ機１において貸球動作が可能な状態にあることを遊技者に表示するための貸球可能表示部１７をパチンコ機１の適所（例えば前面枠３の上部）に設けてある。さらに、例えば球供給皿７の適宜上方には、当該パチンコ機１がプリペイドカードの使用による貸球動作中であることを示すための貸球排出表示部１８、当該パチンコ機１が入賞球に基づく賞球排出動作中であることを示すための賞球排出表示部１９を、例えば球供給皿７の適宜上方に並設してある。
　【００２０】
　上記遊技盤５は図２に示すように、前面側にガイドレール２０で囲まれた遊技部２１を有し、該遊技部２１内に各種の入賞具２２…や風車２３…及び多数の釘２４…等を適宜に配設すると共に、当該遊技部２１のほぼ中央部には可変表示装置２５を配設し、可変表示装置２５に設けた可変表示器２６と、打止め表示部２７が遊技者に良好に視認されるようにしてある。
　【００２１】
　また、可変表示装置２５の適宜下方には変動入賞装置２８を、該変動入賞装置２８と可変表示装置２５との間には第１始動スイッチ２９ａを内部に有する第１始動口３０を、変動入賞装置２８の左右翼部にはそれぞれ内部に第２始動スイッチ２９ｂ，第３始動スイッチ２９ｃを有する第２始動口３１、第３始動口３２を夫々設けてあり、遊技部２１の中央下部には各種入賞具２２や第１〜第３始動口３０〜３２に入賞しなかった遊技球を遊技盤５の裏面側へ導くためのアウト口３３を開設してある。
　【００２２】
　上記した可変表示装置２５は、図３及び図４に示すように、遊技盤５に取り付けるための取付基板３４の前面のほぼ中央部に可変表示器２６を設け、この可変表示器２６よりも適宜上方には鎧部３５を突出状に形成し、該鎧部３５の上部には上部入賞口３６を、鎧部３５の前面側には打止め表示部２７を設けるようにしてあり、この打止め表示部２７は透光性の表示板２７ａの裏面側から打止め表示用発光体２７ｂ…を発光させることで、表示板２７ａに書した「打止め」等の文字が照らし出されるように構成してある。
　【００２３】
　また、上記可変表示器２６の適宜下方には例えば４個の記憶表示用発光体３７…を並設し、上記第１〜第３始動口３０〜３２に入賞した入賞球の数を最大４個まで記憶表示するようにしてあると共に、所要位置に適数設けた装飾用ランプ３８を適宜に点灯もしくは点滅させることによって、当該パチンコ機１が補助遊技状態または特別遊技状態にあることを遊技者に知らせるようにしてある。
　【００２４】
　可変表示器２６は例えば第１可変表示部２６ａ、第２可変表示部２６ｂ、第３可変表示部２６ｃの３つの可変表示部から構成されるようにしてあり、該第１〜第３可変表示部２６ａ〜２６ｃは縦横に整列配置した多数の可変表示用発光体３９…を適宜に点灯もしくは消灯することによって、各可変表示部１２ａ〜１２ｃに所望の図柄や英数字等を表示できるようにしてある。
　【００２５】
　変動入賞装置２８は図５に示すように、遊技盤５に取り付ける第１基板４０の前面側ほぼ中央へ上部適所が開成する球受体４１を突出状に設け、該球受体４１の上部開成部たる横長な球通過口４２を開設し、該球通過口４２の左右縁部には球通過口４２への球流下路を閉塞可能な球受扉４３，４３を回動可能に軸着してあり、これら球受扉４３は第２基板４４に取り付けられたソレノイド等よりなる駆動源４５と所望のクランク機構によって連結してある。
　【００２６】
　上記駆動源４５の非駆動時には球通過口４２への球流下路を阻む第１状態にある１対の球受扉４３，４３は、駆動源４５が駆動することによって左右に所定角度だけ回動し、球通過口４２へ至る球流下路が開成され、球通過口４２への入賞が可能な第２状態に変換される。すなわち、駆動源４５を適宜駆動させることによって、該変動入賞装置２８は遊技者にとって不利な第１状態から遊技者にとって有利な第２状態に変換駆動されるのである。
　【００２７】
　また、球受体４１の前面側適所には透光性部材４６を設けてあり、該透光性部材４６の背面側に配設した７セグメントの可変表示器等よりなる継続回数表示器４７及び入賞個数表示器４８の表示内容がパチンコ機１の前面側から視認可能な状態となるようにしてある。そして、上記継続回数表示器４７は球通過口４２の中央部に設けた継続入賞球検出器４９が特別遊技中に入賞球を検出することによって継続更新されたサイクル数たる継続回数を表示し、入賞個数表示器４８は変動入賞装置２８が第２状態に変換した際に球通過口４２内に入賞した入賞球を検出する入賞個数検出器５０が検出した入賞個数を表示し、遊技者が特別遊技中の遊技状態を把握できるようにしてある。
　【００２８】
　一方、パチンコ機１の裏面側（図６に示す）には、上記遊技盤５の遊技部２１内へ弾球された球（セーフ球およびアウト球）を回収して、適宜に処理すると共に、各入賞球に応じた賞球の排出制御、プリペイドカードに使用に基づいた遊技者の選択による球貸排出制御を行えるように、各種の機構部を備えた裏機構盤５１を設けてあり、該裏機構盤５１に設けた主な機構部について以下説明する。
　【００２９】
　上記遊技盤５の裏面には各種入賞口から裏面側へ導かれたセーフ球たる入賞球を集めるための入賞球集合樋（図示省略）を設けてあり、該入賞球集合樋から流下してきた入賞球を受け得る所要位置において上面が開成する入賞球案内樋５２によって、遊技盤５からの入賞球を集め、磁気センサ等よりなるセーフセンサ５３へ導くための調流樋５４へ入賞球を整列状態で供給し、該調流樋５４を通過する間に入賞球は上記セーフセンサ５３で１個宛検出され、調流樋５４と接続する導出樋５５からパチンコ機１外へ排出される。
　【００３０】
　また、上記調流樋５４におけるセーフセンサ５３の下流側適所には、セーフ球払出機構５６を設けてあり、このセーフ球払出機構５６が作動しない限り貯留樋５４を流下してきた入賞球が導出樋５５へ達することができないようにしてある。すなわち、セーフセンサ５３が入賞球を検出することに基づいて、当該入賞球に対する賞球の排出動作が行われるまで、上記セーフ球払出機構５６によってセーフ球を貯留状態とし、賞球排出動作が完了した時点でセーフ球を１個宛払い出すのである。
　【００３１】
　上記セーフ球払出機構５６は、回動自在に軸着された略扇形の流下阻止部材５７の自由端側たる弧状部分を調流樋５４内に臨ませ、この流下阻止部材５７を調流樋５４内から引き上げるためのセーフソレノイド５８を適宜なクランク機構を介して流下阻止部材５７と接続することで構成してある（図４参照）。すなわち、常時はスプリングの付勢力によってセーフソレノイド５８のプランジャが垂下した状態となるために、流下阻止部材５７が調流樋５４内に突出して、上流側より流下して来た入賞球を停留させるのである。一方、セーフソレノイド５８がオンすると、プランジャがスプリングリングの付勢力に抗して引き上げられるために、流下阻止部材５７が調流樋５４から引き出され、停留されていた入賞球の流下を許容するのである。
　【００３２】
　このとき、流下阻止部材５７が調流樋５４内に復帰するタイミングは、入賞球１個のみが流下する時間に等しく設定し、２個以上の入賞球が流下することのないように調整することが望ましい。しかしながら、１個のみの入賞球を流下させることができれば、流下阻止部材５７の復帰タイミングは特に調整する必要はなく、例えば、１対の流下阻止部材を設けておき、最下流側に位置する入賞球を流下させるために、一方の流下阻止部材が調流樋から引き出されると、他方の流下阻止部材が調流樋５４内に進入して、流下させられる入賞球の直上流側に位置する入賞球の流下を阻止するように構成しておき、入賞球が流下するために必要十分な時間が経過した後に一方の流下阻止部材を復帰させると共に、他方の流下阻止部材を調流樋５４から引き出すようにすれば、確実に入賞球を１個宛払い出すことができる。
　【００３３】
　なお、遊技盤５に設けた入賞具２２…や変動入賞装置２８への入賞球によって排出する賞球数を異らしめる場合には、各入賞具２２や変動入賞装置２８内に設けた入賞球検出手段（例えば、第１〜第３始動スイッチ２９ａ〜２９ｃや継続入賞球検出器４９、入賞個数検出器５０等）の何れか入賞球を検出したかに基づいて、セーフセンサ５３がオンした際の排出賞球数を決定するようにすればよい。また、遊技盤５の背面側に設ける入賞球集合樋を２系統設け、各入賞球集合樋と接続される入賞球案内樋を夫々構成し、各入賞球案内樋に応じた２系統の流路を設けて、各流路を通過する入賞球を異なる入賞球検出手段によって別途に検出するように構成してもよい。
　【００３４】
　一方、アウト口３３より遊技盤５の裏面側へ導かれたアウト球は、アウト球導出路５９を経て、アウト球流下路６０からパチンコ機１外へ排出される。尚、アウト球流下路６０には適宜な凹凸を設けることで、アウト球の落下する勢いを減殺し、該アウト球が落下する回収樋への衝撃を軽減するようにしてある。また、アウト球流下路６０の適所にはアウトセンサ６１を配設し、アウト球として回収された球数を計数可能なようにしてある。
　【００３５】
　裏機構盤５１の上部には遊技媒体たる球を貯留するための球貯留タンク６２を設けてあり、該球貯留タンク６２内の球は誘導樋６３を経て、遊技媒体たる球を排出する遊技媒体排出装置６４へ供給される。上記球貯留タンク６２へはパチンコ機列より構成された島設備の球供給樋より球供給されるものとしてあり、例えば各パチンコ機１…を総括的に管理する管理装置の制御によって、球が適宜に補給されるようにしてある。この球貯留タンク６２内の球数が不足したことを検出するための補給センサ６５を、例えば誘導樋６３の球流入部に配設してあり、上記補給センサ６５が球不足を検出し、該検出情報を管理装置が受信することによって、当該パチンコ機１の球貯留タンク６２への球補給が為されるのである。
　【００３６】
　また、誘導樋６３には２条の球流路を設けてあり、各流路から遊技媒体排出装置６４へ球を供給する球出口６６ａ，６６ｂの適宜上流側には排出待機球検出機構部６７を設けてあり、上記補給センサ６５の破損や球補給機構の破損等によって球が補給されなかったり、当該パチンコ機１において極短時間に大量の遊技媒体排出が行われた為に球貯留タンク６２への球供給が間に合わなかったりして、排出用の遊技媒体が不足している状態（例えば球貸要求に対する十分な排出球が残存していない状態や、入賞球に対する賞球用の球が十分に残存していない状態等）を排出待機球検出機構部６７によって検出するのである。
　【００３７】
　図８に示す排出待機球検出機構部６７は、リミットスイッチ等より構成される排出待機球検出器６８と、該排出待機球検出器６８に作用する作用部材６９と、誘導樋６３内に球が無いことに基づいて上記作用部材６９に作用する球不足検出部材７０とから構成してある。なお、この排出待機球検出器６８は、遊技媒体排出装置６４から遊技球として排出可能な遊技媒体の残量が所定量以下になったことを検出し、遊技媒体の排出を規制するか否かの排出制御に供される。
　【００３８】
　球不足検出部材７０は、軸７１に対して相対する方向に延出する球受片７２および第１作用片７３を有し、誘導樋６３の取付基板７４に取り付けられた軸７１に対して、球受片７２および第１作用片７３が揺動自在な状態としてある。なお、第１作用片７３には第１ウエイト７５を設けてあり、常時は第１作用片７３が下方に付勢されると共に、球受片７２が上動するようにしてある。また、誘導樋６３の球流路７６ａ，７６ｂの適所には検出孔７７ａ，７７ｂを開設してあり、上動した球受片７２が球流路７６ａ，７６ｂの上流側から下流側へ上り傾斜する状態で、該検出孔７７ａ，７７ｂから誘導樋６３の球流路７６ａ，７６ｂ内へ若干突出した状態となるように、各部材の取付位置および寸法形状を設定してある（図８（ａ）参照）。
　【００３９】
　さらに、誘導樋６３の球流路７６ａ，７６ｂ内を球が流下した場合には、球が球受片７２上へ乗り上げ、該流下球の重量によって、第１作用片７３に設けた第１ウエイト７５の付勢力に抗して球受片７２を押し下げ、押し下げられた球受片７２は球流路７６ａ，７６ｂの検出孔７７ａ，７７ｂを滑らかに閉塞し得る位置に移動する（図８（ｂ）参照）。したがって、流下球が球流路７６ａ，７６ｂの検出孔７７ａ，７７ｂから落下することなく、スムースに流下可能とするのである。
　【００４０】
　また、作用部材６９は、軸７８に対して相対する方向に延出する第２作用片７９およびスイッチ押圧片８０を有し、第２作用片７９は上記球不足検出部材７０の第１作用片７３の先端部下方と当接し得る所要形状に、スイッチ押圧片８０は上記排出待機球検出器６８の作動突起を押圧可能な所要形状に夫々形成してある。なお、スイッチ押圧片８０には上記第１ウエイト７５よりも適宜軽い第２ウエイト８１を設けてあり、球不足検出部材７０の第１作用片７３によって第２作用片７９が下方へ押圧されていない間は、上記第２ウエイト８１の付勢力によって、第２作用片７９を上方へ押し上げる（図８（ｂ）参照）が、第１ウエイト７５の付勢力によって第２作用片７９が下方に押し下げられると、スイッチ押圧片８０が上方に押し上げられて、該スイッチ押圧片８０によって排出待機球検出器６８がオンさせられるのである（図８（ａ）参照）。
　【００４１】
　したがって、誘導樋６３の球流路７６ａ，７６ｂ内における検出孔７７ａ，７７ｂ上に球が存する場合には、球不足検出部材７０の球受片７２が球によって下方に押し下げられることにより、該球不足検出部材７０の第１作用片７３が作用部材６９の第２作用片７９に作用しないため、作用部材６９のスイッチ押圧片８０は第２ウエイト８１の付勢力によって下方に押し下げられ、作用部材６９のスイッチ押圧片８０が作用しないために、排出待機球検出器６８はオフ状態となる。
　【００４２】
　一方、誘導樋６３の球流路７６ａ，７６ｂ内における検出孔７７ａ，７７ｂ上に球が存しない場合には、球不足検出部材７０の球受片７２が第１作用片７３に設けた第１ウエイト７５の付勢力によって上方に押し上げられることにより、該球不足検出部材７０の第１作用片７３が作用部材６９の第２作用片７９を押し下げる方向に作用するため、作用部材６９のスイッチ押圧片８０は上方に押し上げられ、排出待機球検出器６８は作用部材６９のスイッチ押圧片８０が作用することによってオン状態となる。
　【００４３】
　斯くして、上記のように構成した排出待機球検出機構部６７によれば、誘導樋６３の球流路７６ａ，７６ｂに設けた検出孔７７ａ，７７ｂよりも上流側（球貯留タンク６２側）に球が存在しない場合を球不足状態として検出することができ、遊技媒体排出装置６４へ排出用の遊技媒体として供給する球が不十分なために、賞球もしくは貸球として排出する球が半端になってしまうことを未然に防止するのである。
　【００４４】
　なお、誘導樋６３の球流路７６ａ，７６ｂにおける検出孔７７ａ，７７ｂの上方適所には、球ならし部材８２を揺動自在に軸着してあり、該球ならし部材８２は、下方に若干突出する弧状の球ならし片８３の球ならし部８３ａ（球ならし片８３の上流側）が球流入阻止部８３ｂ（球ならし片８３の下流側）に比して長くなる適所に軸８４を設けた構成としてある。この球ならし部材８２は、球流路７６ａ，７６ｂの上流側より流下する球を１個宛にならして球出口６６ａ，６６ｂへ供給するように作用すると共に、例えば球ならし片８３の球ならし部８３ａを上方へ回動させることによって、球流入阻止部８３ｂが下方へ回動させられて、球の流下を阻むように球流路７６ａ，７６ｂへ延在した状態となり、球流路７６ａ，７６ｂの検出孔７７ａ，７７ｂに位置する球不足検出部材７０の球受片７２へ球が至ることを阻止するのである。
　【００４５】
　上記のように２条の球流路７６ａ，７６ｂを構成した誘導樋６３より遊技媒体たる球か供給される遊技媒体排出装置６４は、第１遊技媒体排出機構８５ａ及び第２遊技媒体排出機構８５ｂより構成してあり、例えば球流路７６ａの球出口６６ａより第１遊技媒体排出機構８５ａへ、球流路７６ｂの球出口６６ｂより第２遊技媒体排出機構８５ｂへ夫々遊技媒体たる球が供給されるものとしてある。
　【００４６】
　遊技媒体排出装置６４の第１遊技媒体排出機構８５ａ及び第２遊技媒体排出機構８５ｂは、前面枠３の裏機構盤５１に取り付けるユニット基板８６の前後方向へ２系統に設けるものとしてあり、その概略は図９に示すようなもので、誘導樋６３に２条に設けた球流路７６ａ，７６ｂと連通する流入樋８７ａ，８７ｂと、該流入樋８７ａ，８７ｂに設置した排出ロック機構８８と、上記流入樋８７ａ，８７ｂに続く調流樋８９ａ，８９ｂに設置した排出ストッパ機構９０ａ，９０ｂ及び排出球の検出手段たる第１排出センサ９１ａ、第２排出センサ９１ｂとから構成してある。
　【００４７】
　なお、本例においては流入樋８７ａ、調流樋８９ａをユニット基板８６の裏面側（パチンコ機１の前面側）に、流入樋８７ｂ、調流樋８９ｂをユニット基板８６の表面側（パチンコ機１の背面側）に一体的に形成するものとし、ユニット基板８６を間に介して流入樋８７ａ、調流樋８９ａ、排出ストッパ機構９０ａ、第１排出センサ９１ａは前面枠３の裏機構盤５１後面の奥側（パチンコ機１の背面側）に、流入樋８７ｂ、調流樋８９ｂ、排出ストッパ機構９０ｂ、第２排出センサ９１ｂは前面枠３の裏機構盤５１後面の手前側（パチンコ機１の前面側）に位置した状態となる。
　【００４８】
　上記流入樋８７ａ，８７ｂは、パチンコ球を一個ずつ通過可能な通路で、誘導樋６３の球流路７６ａ，７６ｂに続いて図９中右側に緩やかに下り傾斜する第１傾斜部９２と、該第１傾斜部９２の下流端に続いて通路方向を略１８０度反転させる第１屈曲部９３と、該第１屈曲部９３に続いて図中左側に緩やかに下り傾斜する第２傾斜部９４と、該第２傾斜部９４の下流端に続いて通路方向を再び略１８０度反転させる第２屈曲部９５とから形成してある。
　【００４９】
　なお、流入樋８７ａ，８７ｂの各部の通路断面をパチンコ球の径よりもやや大きい正方形とすることで、各通路のほぼ中心にてパチンコ球を通すようにし、通路を略１８０度反転させるように第１屈曲部９３及び第２屈曲部９５を設けることで、通路内を流下するパチンコ球の落下速度を減少させると共に、排出ストッパ機構９０ａ，９０ｂによる通路内パチンコ球の流下阻止状態（後に詳述する）において、誘導樋６３の各球流路７６ａ，７６ｂに停留する球から第１，第２遊技媒体排出機構８５ａ，８５ｂ内の球が受ける球圧を軽減させ得るのである。
　【００５０】
　上記調流樋８９ａ，８９ｂは、同じくパチンコ球を一個ずつ通過可能な通路で、第２屈曲部９５に続いて通路方向を略９０度反転させて垂直下方に向う垂直部９６と、該垂直部９６の終端の側部に続く誘導部９７と、該誘導部９７に略４５度の傾斜角で続く調流部９８と、該調流部９８に垂直に続く落下部９９とから形成してある。
　【００５１】
　垂直部９６の通路断面はパチンコ球の径よりもやや大きい正方形に、ほぼ通路の中心にてパチンコ球を通すように形成し、垂直部９６の終端の底壁１００は誘導部９７側へ緩やかに傾斜する下り傾斜に形成し、垂直部９６の誘導部９７と対向側の壁面１０１は誘導部９７側にいくらか迫り出させて形成してある。上記のように誘導部９７と対向側の壁面１０１を迫り出させることにより、垂直部９６の底壁１００上に乗ったパチンコ球の中心は後続のパチンコ球の中心よりも誘導部９７側に位置することになり、垂直部９６の底壁１００上に乗ったパチンコ球には後続のパチンコ球によって誘導部９７側へ押し出されるような球圧が生じる。これにより、垂直部９６内のパチンコ球は終端部分において球詰まりを生じることなく誘導部９７へ流入するのである。
　【００５２】
　誘導部９７の上壁１０２は略４５度下り傾斜するように形成してあり、誘導部９７においてパチンコ球が後続の垂直部９６の底壁１００上のパチンコ球よりも上方に行かないようにすると共に、垂直部９６の底壁１００にて方向を変えながら誘導部９７に流入するパチンコ球を略４５度傾斜した上壁１０２に当てることにより、誘導部９７においてパチンコ球を一定の間隔で流下させ、かつパチンコ球の流下速度を調整する。これにより、垂直部９６から誘導部９７に入ったパチンコ球は誘導部９７を所定の速度および間隔で流下し、スムースに調流部９８に流入される。また、垂直部９６に接続される誘導部９７を設けることで、後述する排出ストッパ機構９０ａ，９０ｂによる流下阻止状態において、調流部９８内のパチンコ球が後続の球から受ける球圧を軽減することができる。
　【００５３】
　また、調流部９８は直線の通路形状で所定の長さ（例えばパチンコ球２個分）に形成され、調流部９８の通路断面はパチンコ球の径よりもやや大きい正方形に、ほぼ通路の中心にてパチンコ球を通すように形成し、落下部９９は調流部９８からのパチンコ球を素早く落下させるように調流部９８よりも大きな通路断面に形成してある。
　【００５４】
　排出ストッパ機構９０ａ，９０ｂには、調流樋８９ａ，８９ｂの調流部９８側上方より調流部９８内に進入して各流路内のパチンコ球の流下を阻止するストッパ用係止爪１０３ａ，１０３ｂと、それぞれストッパ用係止爪１０３ａ，１０３ｂを駆動させるための駆動手段たる第１排出ソレノイド１０４ａ、第２排出ソレノイド１０４ｂを設けてある。上記ストッパ用係止爪１０３ａ，１０３ｂは流路内に臨む部分を弧状とした扇状部材からなり、両ストッパ用係止爪１０３ａ，１０３ｂは調流部９８の流下部側方にてユニット基板８６に突設した支軸１０５により揺動自在に支持されるものとしてあり、該支軸１０５を支点に両ストッパ用係止爪１０３ａ，１０３ｂが回動した際には、球阻止部となる扇状外周部が揺動軌跡と一致するように形成してある。
　【００５５】
　なお、このストッパ用係止爪１０３ａ，１０３ｂはリンク１０６を介して第１，第２排出ソレノイド１０４ａ，１０４ｂのプランジャとピン連結してある。また、ストッパ用係止爪１０３ａ，１０３ｂに対応して調流部９８の側壁には適宜なスリットを設け、ストッパ用係止爪１０３ａ，１０３ｂが調流部９８内に進入した状態において調流部９８内に流下を阻止されたパチンコ球２個が並ぶように、ストッパ用係止爪１０３ａ，１０３ｂの配設位置やスリットの位置等を設定する。
　【００５６】
　なお、これら第１，第２排出ソレノイド１０４ａ，１０４ｂはユニット基板８６に設けた所要形状の嵌合枠（図示省略）に嵌装し、嵌合枠に立設した取付片にネジ止めする等の適宜手段によってユニット基板８６へ固定する。
　【００５７】
　第１，第２排出ソレノイド１０４ａ，１０４ｂの非通電状態においては、図１０（ａ）のようにストッパ用係止爪１０３ａ，１０３ｂの球阻止部が調流部９８内に所定量進入した第１状態にあり、この状態では調流部９８内のパチンコ球はストッパ用係止爪１０３ａ，１０３ｂの球阻止部により流下を阻止される。そして、第１，第２排出ソレノイド１０４ａ，１０４ｂへ通電することで第１，第２排出ソレノイド１０４ａ，１０４ｂを駆動させると、図１０（ｂ）のようにリンク１０６の引動によりストッパ用係止爪１０３ａ，１０３ｂが上方に回動して、ストッパ用係止爪１０３ａ，１０３ｂの球阻止部がスリット内に後退した第２状態となる。このため調流部９８内のパチンコ球はストッパ用係止爪１０３ａ，１０３ｂから解放され、落下部９９に落下する。そして、第１，第２排出ソレノイド１０４ａ，１０４ｂの通電が断たれると、リターンスプリングの付勢力によって、ストッパ用係止爪１０３ａ，１０３ｂが元の位置（第１状態）に戻り、各球阻止部により調流部９８内のパチンコ球は流下を阻止される。
　【００５８】
　しかして、ストッパ用係止爪１０３ａ，１０３ｂは支軸１０５によって揺動自在に支持してあると共に、各球係止部を揺動軌跡と一致する扇状に形成してあるので、各球係止部はパチンコ球とストッパ用係止爪１０３ａ，１０３ｂの接点における接線方向へ常に回動することとなり、ストッパ用係止爪１０３ａ，１０３ｂが第２状態から第１状態に復帰する際に、ストッパ用係止爪１０３ａ，１０３ｂが調流部９８内のパチンコ球を噛んだり、ストッパ用係止爪１０３ａ，１０３ｂが第１状態から第２状態に変動する際に、流下を阻止しているパチンコ球の球圧が過大に変化することがなく、ストッパ用係止爪１０３ａ，１０３ｂを第１，第２排出ソレノイド１０４ａ，１０４ｂのオン・オフに応じてスムースに動作させることができる。
　【００５９】
　さらに、図９および図１０（ａ）に示すごとく、ストッパ用係止爪１０３ａ，１０３ｂとパチンコ球との接点および支軸１０５の軸心を、当該パチンコ球の中心点を通る水平面上に設けるように構成すれば、このパチンコ球よりストッパ用係止爪１０３ａ，１０３ｂにかかる球圧を支軸１０５によって受けることができるので、極めて機械的強度に優れた排出ストッパ機構９０ａ，９０ｂとすることができる。
　【００６０】
　上記第１，第２排出センサ９１ａ，９１ｂは、パチンコ球が通過可能な通孔を有する近接スイッチ等より構成してあり、排出ストッパ機構９０ａ，９０ｂのストッパ用係止爪１０３ａ，１０３ｂによりパチンコ球の流下を阻止した第１状態において、先頭に続く２番目のパチンコ球のほぼ中央に各近接スイッチが位置するように、調流樋８９ａ，８９ｂの調流部９８に設けた収納部１０７に設置してある。なお、パチンコ球が第１，第２排出センサ９１ａ，９１ｂ内にあるときは第１，第２排出センサ９１ａ，９１ｂはオン信号を出力し、無いときはオフ信号を出力する。
　【００６１】
　上記排出ロック機構８８には、それぞれ流入樋８７ａ，８７ｂの第１傾斜部９２の下流部の上壁に設けたスリットを介して第１傾斜部９２内に進入可能な扇状部材からなるロック用係止爪１０８ａ，１０８ｂと、該ロック用係止爪１０８ａ，１０８ｂの駆動手段たるロックソレノイド１０９を設けてあり、第１傾斜部９２の下流部上方にてユニット基板８６に設けた支軸１１０によってロック用係止爪１０８ａ，１０８ｂは揺動自在に支持されると共に、上記したストッパ用係止爪１０３ａ，１０３ｂと同様にして、球阻止部となる扇状外周部が揺動軌跡と一致するようにしてある。なお、ロック用係止爪１０８ａ，１０８ｂはリンク１１１を介してロックソレノイド１０９のプランジャとピン連結してある。また、ロックソレノイド１０９は例えばロック用係止爪１０８ｂの上方にてユニット基板８６の表面側（パチンコ機１の背面側）に設けた嵌合枠（図示省略）に嵌装し、嵌合枠から立設した取付片にボルト止めすることでユニット基板８６に固定する。
　【００６２】
　ロックソレノイド１０９の通電状態においては、ロック用係止爪１０８ａ，１０８ｂの球阻止部が第１傾斜部９２の球通路外へ後退した第１状態となり、ロックソレノイド１０９の通電が断たれた場合には、スプリングの付勢力によりロック用係止爪１０８ａ，１０８ｂが下方に回動し、両ロック用係止爪１０８ａ，１０８ｂの球阻止部が第１傾斜部９２内に進入し、第１傾斜部９２内のパチンコ球の流下を阻止する第２状態（図９参照）となる。なお、ロック用係止爪１０８ａ，１０８ｂの球阻止部は揺動軌跡と一致するように形成してあるために、第２状態から第１状態に変動する際に第１傾斜部９２内のパチンコ球を噛んだり、第２状態から第１状態に変動する際に第１傾斜部９２内のパチンコ球より受ける球圧が過大に変化することがなく、ロック用係止爪１０８ａ，１０８ｂをロックソレノイド１０９のオン・オフに応じてスムースに動作させることができる。
　【００６３】
　次に、上記のように構成した第１，第２遊技媒体排出機構８５ａ，８５ｂにおけるパチンコ球の動きを詳述する。
　【００６４】
　排出ストッパ機構９０ａ，９０ｂのストッパ用係止爪１０３ａ，１０３ｂが調流樋８９ａ，８９ｂの調流部９８内に進入してパチンコ球の流下を阻止している第１状態では、ストッパ用係止爪１０３ａ，１０３ｂに当接するパチンコ球を先頭に調流樋８９ａ，８９ｂ及び流入樋８７ａ，８７ｂ内にパチンコ球が隙間なく整列した状態で静止している。
　【００６５】
　この際、誘導樋６３側のパチンコ球からの球圧は流入樋８７ａ，８７ｂの第１屈曲部９３及び第２屈曲部９５によって軽減されるので、調流樋８９ａ，８９ｂの上流側に位置する球群から調流樋８９ａ，８９ｂ側に過大な球圧がかかることを防げる。したがって、排出ストッパ機構９０ａ，９０ｂのストッパ用係止爪１０３ａ，１０３ｂにかかる球圧は調流樋８９ａ，８９ｂの調流部９８内および誘導部９７内に位置するパチンコ球より受ける球圧に近似したものとなる。
　【００６６】
　そして、排出ストッパ機構９０ａ，９０ｂの第１，第２排出ソレノイド１０４ａ，１０４ｂをオンさせることによって、ストッパ用係止爪１０３ａ，１０３ｂが調流部９８から後退した第２状態に変動させると、調流部９８内の先頭のパチンコ球および先頭に続く調流部９８、誘導部９７内のパチンコ球が速やかに流下し始め、これに続いて垂直部９６内のパチンコ球が誘導部９７内に進入し、誘導部９７の上壁１０２より速度、間隔を調整されて誘導部９７内を落下し、調流部９８内を速やかに流下する。
　【００６７】
　さらに、これに続いて流入樋８７ａ，８７ｂの第２屈曲部９５内のパチンコ球が垂直部９６内に、第１屈曲部９３内のパチンコ球が第２傾斜部９４内に、第１傾斜部９２内のパチンコ球が第１屈曲部９３内に夫々速やかに流入する。この際、ストッパ用係止爪１０３ａ，１０３ｂの後退により、先頭のパチンコ球と先頭に続く調流部９８内のパチンコ球はほぼ接しながら調流部９８内を流下し、誘導部９７からのパチンコ球は４５度の角度で調流部９８が続くため、方向を変えつつ前方のパチンコ球と漸次離間して調流部９８内を流下し、さらに垂直部９６からのパチンコ球は誘導部９７の上壁１０２により速度、間隔を調整されるため、それぞれの所定の離間距離で調流部９８内を流下するようになる。
　【００６８】
　そして、排出ストッパ機構９０ａ，９０ｂの第１，第２排出ソレノイド１０４ａ，１０４ｂをオフにすることで、ストッパ用係止爪１０３ａ，１０３ｂが調流部９８内に進入した第１状態に変換させると、調流部９８内を流下途中のパチンコ球がストッパ用係止爪１０３ａ，１０３ｂに衝突して流下を阻止され、これに続いて調流部９８、誘導部９７、垂直部９６、第２屈曲部９５、第２傾斜部９４、第１屈曲部９３、第１傾斜部９２内のパチンコ球も流下を阻止されることとなり、パチンコ球の排出動作が終了して元の静止状態に戻る。
　【００６９】
　このとき、ストッパ用係止爪１０３ａ，１０３ｂの球阻止部は揺動軌跡と一致するようにしてあるので、パチンコ球がストッパ用係止爪１０３ａ，１０３ｂに衝突した際の衝撃力を支軸１０５によって受けることができ、パチンコ球の衝撃力に抗して良好にパチンコ球を係止できると共に、球阻止部はパチンコ球に対して接線方向に動くため、ストッパ用係止爪１０３ａ，１０３ｂが調流部９８内へ進入する際にパチンコ球と衝突しても、ストッパ用係止爪１０３ａ，１０３ｂがパチンコ球を噛んだりすることはなく、ストッパ用係止爪１０３ａ，１０３ｂは調流部９８内ヘスムースに進入する。
　【００７０】
　このように、誘導樋６３の球流路７６ａ、７６ｂに続く第１，第２遊技媒体排出機構８５ａ，８５ｂの流入樋８７ａ，８７ｂに２つの屈曲部９３，９５を、第２屈曲部９５に続いて垂直部９６を設け、垂直部９６の壁面７２を迫り出させて対向側に上壁１０２を傾斜した誘導部９７を設け、誘導部９７の下方に略４５度傾斜した調流部９８を設けると共に、この調流部９８に排出ストッパ機構９０ａ，９０ｂを配設したので、第１，第２排出ソレノイド１０４ａ，１０４ｂのオン時たる第２状態においてはパチンコ球がスムースに流下すると共に、第１，第２排出ソレノイド１０４ａ，１０４ｂのオフ時たる第１状態においてはストッパ用係止爪１０３ａ，１０３ｂ等にかかる球圧を充分に軽減でき、第１，第２遊技媒体排出機構８５ａ，８５ｂの信頼性を大幅に向上させることができる。
　【００７１】
　また、第１，第２遊技媒体排出機構８５ａ，８５ｂはユニット構造としてあるので、各部品が故障したとき等には、故障部分をユニット単位で簡便に交換することが可能であり、故障等に対して迅速に対応できる。しかも、第１，第２排出ソレノイド１０４ａ，１０４ｂ及びロックソレノイド１０９を鉛直方向に配設することにより、駆動用プランジャの挿通孔よりソレノイド内部へ塵埃が侵入したり、プランジャと挿通孔の摩擦によってプランジャが片減りするのを防止できる。
　【００７２】
　なお、８３は前面枠３の前面に適宜形成した操作孔よりピンあるいはワイヤのような器具を挿入することにより、オン・オフ操作可能なスイッチたる球抜センサ１１２で、後述する球抜きゲートを作動させるためのものである。
　【００７３】
　上記のように構成した第１，第２遊技媒体排出機構８５ａ，８５ｂはそれぞれ個別に制御されるものとしてあり、例えば“１３個”の球排出動作を行う場合には、第１遊技媒体排出機構８５ａより“７個”の賞球を排出させると共に、第２遊技媒体排出機構８５ｂより“６個”の賞球を排出させることで、短時間に総計“１３個”の賞球を排出させるのである。すなわち、賞球を２系統排出にすることで、特別遊技の発生に伴って多量の入賞球が発生した場合や、多量の球貸要求が発生した場合においても、迅速に遊技媒体の排出処理を行うことができるので、球排出動作の遅延によって遊技者に不快感を与えることを防止できる。なお、各遊技媒体排出機構８５ａ，８５ｂより排出される球数は第１，第２排出センサ９１ａ，９１ｂによって計数されるものとしてあり、排出球数に過不足の無い正確な球排出動作が可能である。
　【００７４】
　第１，第２遊技媒体排出機構８５ａ，８５ｂに続く球排出樋１１３は、図６に示すように１系統からなるもので、第１，第２遊技媒体排出機構８５ａ，８５ｂの調流樋８９ａ，８９ｂの両落下部９９，９９に接続する流入部１１４と、前面枠３前面の球供給皿７につながる流下樋１１５を設けた排球部１１６から形成され、調流樋８９ａ，８９ｂの両落下部９９，９９から流入したパチンコ球を突壁等に当てながら流下樋１１５上に落として球供給皿７へ排出する。
　【００７５】
　上記流下樋１１５の下部につながる分配樋１１７は前面枠３の前面下部の球受皿８につながり、球供給皿７がパチンコ球で一杯になると前記流下樋１１５から溢れたパチンコ球を球受皿８へ排出する。また、分配樋１１７には流下樋１１５の直下方にて樋壁を兼ねる検知片１１８に連動するスイッチたるオーバーフロースイッチ１１９を設けてあり、分配樋１１７内がパチンコ球で一杯になった場合には、その押圧力で検知片１１８が押圧されて、オーバーフロースイッチ１１９がオン信号を出力するのである。
　【００７６】
　球排出樋１１３の途中から分岐する球抜き樋１２０の流入部には、例えば板状の球抜ゲート１２１を支軸１２２によって回動自由に配設してあり、この球抜ゲート１２１を回動させることによって、球抜き樋１２０への分岐路を適宜開閉できるようにしてある。この球抜ゲート１２１は、樋壁の外部において支軸１２２と球抜ソレノイド１２３とを適宜なリンク１２４を介して接続し、上記球抜ソレノイド１２３をオン・オフさせることによって、球抜ゲート１２１を所望角度回動可能（流下樋１１５への流入口を閉塞し得る状態と、球抜き樋１２０への流入口を閉塞し得る状態とに変換可能）なようにしてある。
　【００７７】
　そして、球抜ソレノイド１２３へ通電すると、球抜ソレノイド１２３のプランジャが引き上げられるためにリンク１２４が上動して、球抜ゲート１２１を流下樋１１５側へ回動させることによって、球抜き樋１２０の流入口を開成させる。なお、球抜ゲート１２１は球排出樋１１３を塞ぐ位置（パチンコ球が通過不可能な状態となる位置）まで回動されるものとしてある。また、球抜ソレノイド１２３への通電を断つと、バネ等より構成した適宜な復元力により、球抜ゲート１２１が球抜き樋１２０の流入口を閉塞する位置へ速やかに復帰する。
　【００７８】
　なお、球抜ゲート１２１が復帰する際に、球抜ソレノイド１２３のプランジャが所定位置まで下降すると、それ以上球抜ゲート１２１は回動できないので、球抜ゲート１２１が球抜き樋１２０内へ大きく後退することはない。また、球抜ゲート１２１が所定位置に復帰した状態で当接する適宜なストッパ等を設けるようにすれば、球抜ゲート１２１が揺動運動するのを防げると共に、バネ等の復帰力によって球抜ソレノイド１２３が破損する危険性をも小ならしめることができる。
　【００７９】　しかも、上記リンク１２４の側方には球抜ゲート１２１の位置を検知するゲートセンサ（図示省略）を設けてあり、球抜ゲート１２１が球抜き樋１２０の閉位置にあればゲートセンサはオフ信号を出力し、球抜ゲート１２１が球抜き樋１２０の開位置（球排出樋１１３の閉塞位置）にあれば、ゲートセンサはオン信号を出力するのである。斯くして、球抜ソレノイド１２３やリンク１２４の破損等によって、球抜ゲート１２１の正常な動作が行われていない場合には、このゲートセンサによって球抜きゲートの位置を検知することで、該状態を知ることができ、迅速な対応が可能となるのである。
　【００８０】
　以上、賞球排出動作もしくは貸球排出動作における排出球の流路について説明したが、球抜き樋１２０の下流側はアウト球流下路６０と合流させてあり、図示しない回収樋へ導いて、パチンコ機列よりなる島設備の遊技球循環機構へ還元し、回収された遊技球を研摩・清浄した後、再び球貯留タンク６２へ供給するのである。
　【００８１】
　また、パチンコ機１の前面枠３に開閉自在に設けた前面パネル３ａが前面枠３から開かれた状態（開放状態）にあることを検出するための検出手段として枠センサ１２５を設けてあり、この枠センサ１２５の検出情報を遊技媒体排出制御に供するのである。すなわち、球供給皿７が設けられる前面パネル３ａが開放状態にあるときに、賞球排出動作もしくは貸球排出動作が行われると、これら排出された球が球供給皿７へ供給されずに、こぼれ落ちてしまうため、このような事態が生ずることを回避する目的で、枠センサ１２５が前面パネル３ａの開放状態を検出してるか否かの情報を収集するのである。
　【００８２】
　さらに、パチンコ機１の適所（本例においては裏面上部）にはスピーカ１２６を設けてあり、遊技中の効果音や賞球排出制御時、貸球排出制御時等の音声表現等を適宜に行えるようにしてある。
　【００８３】
　以上は、パチンコ機１の機枠２内にカード制御装置９を一体的に設ける遊技機として構造および動作を説明したが、本発明においては、カード制御装置９を含むカードユニットを別体として構成したものである。
　【００８４】
　すなわち、本実施例においては、図１１に示すように、遊技機としての必須機能を備える機枠２の一側方（図面においては左側）にカードユニットとしての必須機能を備える補助枠１２７を設け、該補助枠１２７内にカード制御装置９を収納し、カード挿排口１０、挿入残高表示部１５、カード保持表示部１６が補助枠１２７の前面に位置するように構成したパチンコ機１’としてある。この補助枠１２７を機枠２の高さと略々等しく設定すると共に、比較的横幅の狭い縦長形状に構成すると、パチンコ機１’を島設備に組み込んだ際、各補助枠１２７…が機枠２…間の離隔板を兼ねることになり（図１２参照）、既存の島設備と配置構造の互換性が保てる。
　【００８５】
　一方、図１３に示すように、上記補助枠１２７と同様な枠体にカード制御に関連した各種表示部（球貸ボタン押圧表示部１３、残高表示部１４等）および操作部（カード挿排口１０、球貸ボタン１１等）を集約させたカード制御枠１２８を機枠２の一側方に設けたパチンコ機１”としてもよいが、斯く構成したパチンコ機１”を島設備に取り付けた際には、カード制御枠１２８が従来の台間球貸機と同様な配置となり（図１４参照）、遊技者は違和感なくプリペイドカードの使用による球貸を受けることができる反面、カード制御に関連した各種表示部や操作部が遊技者の手元から離隔した位置になるため、必ずしも球貸操作の利便性を高め得るものではない。
　【００８６】
　なお、上記したパチンコ機１’やパチンコ機１”のように、カード挿排口１０を球受皿８から離隔させて設けると、球受皿８に設けることが慣例となっている灰皿に溜った灰がカード制御装置９に不具合を引き起こすことを防止できる。また、カード制御装置９が台間に配設されることで、隣接するパチンコ機のカード制御装置９におけるカード挿排口１０と誤認する危険性もあるが、例えば図１１及び図１３に示すように、カード挿排口１０の一側方にプリペイドカードの挿入ガイド板１２９を立設するように構成すれば、この挿入ガイド板１２９によってカード挿排口１０の見えない方のカード制御装置９が、当該パチンコ機に設けられたものでないことを遊技者に認識させることができる。
　【００８７】
　次に、パチンコ機１（パチンコ機１’，パチンコ１”も含む）の遊技制御、賞球排出制御、貸球排出制御等を行うための制御装置の構成について詳述する。
　【００８８】
　パチンコ機１は図１５に示すように、遊技盤５に設けた各種入賞具２２…等に入賞することに基づく賞品球の排出動作を行ったり、変動入賞装置２８や可変表示装置２５等の大型の遊技装置を動作制御したりする主制御部１３０と、プリペイドカード１３１を使用することによって、当該パチンコ機１の遊技媒体排出装置６４から遊技媒体たる球を借りることを可能にするカード制御装置９とから構成してある。このように、遊技盤制御機能と排出制御機能とカード制御機能とを３つの制御装置（遊技盤制御装置１３２、排出制御装置１３３及びカード制御装置９）に分散構成する。
　【００８９】
　主制御部１３０は、主として遊技盤５に設けた各種の遊技装置を制御するための遊技盤制御装置１３２と、主として遊技媒体排出装置６４から遊技媒体たる遊技球を排出させるための制御を司どる排出制御装置１３３から構成してあり、当該パチンコ機１における遊技制御をカード制御装置９から独立して行うことができる。また、上記遊技盤制御装置１３２及び排出制御装置１３３から遊技店に設置された管理装置１３４へ、種々の情報が適宜に送出されるように構成してある。なお、管理装置１３４から種々の制御情報が主制御部１３０へ入力されて、該制御情報に基づいて主制御部１３０が当該パチンコ機１の制御を行うように構成する場合もある。
　【００９０】
　遊技盤制御装置１３２には、セーフセンサ５３より入賞球の検出情報や、遊技盤５に設けた各種検出手段（例えば第１〜第３始動スイッチ２９ａ〜２９ｃ、計測入賞検出器４９、入賞個数検出器５０等）の検出情報が入力されるものとしてあり、これら入力情報に基づいて、遊技盤制御装置１３２はセーフソレノイド５３を駆動させたり、可変表示装置２５の第１〜第３可変表示部２６ａ〜２６ｃを変換表示させたり、変動入賞装置２８の球受扉４３，４３を所定のタイミングで左右へ回動させて第２状態に変換させたりする。
　【００９１】
　また、遊技盤制御装置１３２は、当該パチンコ機１の遊技内容に応じた効果音や、賞球排出動作時もしくは貸球排出動作時の効果音等をスピーカ１２６より出力させると共に、大当り情報出力信号線Ｌ１を介して“大当り情報”を、スタート情報出力信号線Ｌ２を介して“スタート情報”を、エラー情報出力信号線Ｌ３を介して“エラー情報”を、夫々管理装置１３４へ出力する。
　【００９２】
　一方、排出制御装置１３３には、上記遊技盤制御装置１３２より“賞球データ信号”及び“ストローブ信号”が賞球データ信号線Ｌ４及びストローブ信号線Ｌ５を介して夫々入力されるものとしてあり、ストローブ信号の読み込みタイミングに基づいて排出制御装置１３３が賞球データを読み込み、賞球排出を行うための所定条件（後に詳述）が満たされていれば、第１，第２排出ソレノイド１０４ａ，１０４ｂを適宜に駆動させ、第１，第２排出センサ９１ａ，９１ｂが所定数の排出球を確認した時点で第１，第２排出ソレノイド１０４ａ，１０４ｂの駆動を停止させ、賞球データに基づく所定数の賞球排出を行ったことを意味する“賞球排出確定信号”を賞球排出確定信号線Ｌ６を介して遊技盤制御装置１３２に送出する。
　【００９３】
　このように、排出制御装置１３３が行う賞球排出数を遊技盤制御装置１３２より賞球データとして供給し、該賞球データに基づく所定数の遊技球を賞球として排出することにより、排出制御装置１３３が読み取り可能な賞球データを送出可能なように構成された遊技盤制御装置１３２を遊技盤５と併せて交換した場合には、排出制御装置１３３と遊技盤制御装置１３２との相互互換が保証される。したがって、遊技内容に応じた複数種類の球数を賞球として排出するように構成された遊技盤５に交換する場合であっても、当該遊技盤５に対応した遊技盤制御装置１３２を交換することで、何ら不都合なく当該パチンコ機１における遊技内容を簡便且つ安価に交換できるのである。
　【００９４】
　加えて、排出制御装置１３３は、賞球排出音要求信号線Ｌ７を介して“賞球排出音要求信号”を、貸球排出音要求信号線Ｌ８を介して“貸球排出音要求信号”を、カード挿入音要求信号線Ｌ９を介して“カード挿入音要求信号”を、カード排出音要求信号線Ｌ１０を介して“カード排出音要求信号”を夫々遊技盤制御装置１３２へ出力し、これら要求信号に基づいて、遊技盤制御装置１３２がスピーカ１２６より適宜な音声出力を行うのである。
　【００９５】
　また、排出制御装置１３３には、枠センサ１２５より前面枠３ａの開閉情報が、オーバーフロースイッチ１１９よりオーバーフロー検出情報が、排出待機球検出器６８より排出待機球検出情報が、補給センサ６５より貯留球不足検出情報が、アウトセンサ６１よりアウト球検出情報が夫々入力されると共に、貸球可能表示部１７へ貸球可能表示出力を、貸球排出表示部１８へ貸球排出表示出力を、賞球排出表示部１９へ賞球排出表示出力を夫々出力する。
　【００９６】
　さらに、排出制御装置１３３は、賞球数信号線Ｌ１１を介して“賞球数信号”を、買信号線Ｌ１２を介して“買信号”を、補給信号線Ｌ１３を介して“補給信号”を、アウト数信号線Ｌ１４を介して“アウト数信号”を、夫々管理装置１３４へ出力するものとしてある。なお、本実施例においては、賞球数信号は排出球数１０個に対して１パルスを、買信号は最小貸球単位（例えば１００円：２５個）に対して１パルスを、アウト数信号はアウト球１０個に対して１パルスを夫々出力するものとしてあるが、これに限定されるものではなく、例えば、排出球・アウト球が１個検出される毎に、賞球数信号もしくはアウト数信号を１パルス出力するように構成したり、所定貸球単位（例えば１０００円）に達した時点で買信号を１パルス出力するように構成してもよい。
　【００９７】
　また、排出制御装置１３３は、球抜センサ１１２よりオン信号が入力されると、球抜ソレノイド１２３を駆動させて球抜き樋１２０へ流路を切り変えると共に、第１，第２排出ソレノイド１０４ａ，１０４ｂ等を適宜に駆動させて、球抜動作を行うのである。
　【００９８】
　カード制御装置９は球貸要求信号線Ｌ１５を介して“球貸要求信号”を上記排出制御装置１３３へ出力し、該排出制御装置１３３よりカード制御装置９には、Ｐ台レディ信号線Ｌ１６を介して“Ｐ台レディ信号”が、払出完了信号線Ｌ１７を介して“払出完了信号”が、夫々出力され、カード制御装置９より排出制御装置１３３には、カード信号線Ｌ１８を介して“カード信号”が出力される。
　【００９９】
　このカード制御装置９は、遊技者がプリペイドカード１３１をカード挿排口１０よりカード制御装置９内へ挿入することに基づいて、当該プリペイドカード１３１の有価データたるカード残高を読み取り、挿入残高表示部１５にカード挿入時のカード残高を表示出力すると共に、カード制御装置９がカードを保持していることを示すためにカード保持表示部１６へ表示出力する。なお、プリペイドカード１３１の使用に基づく貸球排出動作が行われるまでは、残高表示部１４にもカード挿入時のカード残高が表示されるものとしてある。
　【０１００】
　次いで、第１〜第４選択スイッチ１３ａ〜１３ｄよりなる球貸ボタン１１を遊技者が操作すると、当該操作された球貸ボタン１１に対応する球貸ボタン押圧表示部１３へ表示出力する。そして、この球貸ボタン１１が操作されることに基づいて、カード制御装置９は排出制御装置１３３へ上記球貸要求信号線Ｌ１５を介して球貸要求信号を出力し、該球貸要求に基づく貸球排出動作が完了することに基づく払出完了信号が払出完了信号線Ｌ１７を介して入力されると、払い出した遊技球数に該当する有価データをカード残高から減算し、残高表示部１４の表示内容をこの時点における有価データの残高に表示変更する。
　【０１０１】
　さらに、遊技者が返却ボタン１２を操作すると、プリペイドカード１３１がカード挿排口１０より排出されるものとしてあり、このときにカード制御装置９はプリペイドカード１３１のカード残高を残高表示部１４に表示した残高に書き変えると共に、このカード残高が所定の残高を下回っていた場合にはプリペイドカード１３１の所定位置にパンチ孔加工を施す。なお、カード残高の書き変えやパンチ孔加工は、カード排出時に一括して行うものに限らず、随時行うように構成してもよい。また、返却ボタン１２が操作されない場合であっても、プリペイドカード１３１のカード残高が“０”になった時点で、強制的にプリペイドカード１３１をカード挿排口１０から排出するように構成してもよい。
　【０１０２】
　なお、カード制御装置９は、プリペイドカード１３１の使用に基づいて排出した貸球数（もしくは貸出球数に応じた有価データ）を“決済情報信号”として、決済情報信号線Ｌ１９を介してカード管理装置１３５へ出力するものとしてある。
　【０１０３】
　上記のように、当該パチンコ機１の動作制御を行う電気的制御装置における遊技盤制御機能と排出制御機能とカード制御機能とを３つの制御装置（遊技盤制御装置１３２、排出制御装置１３３、カード制御装置９）に分散構成することで、各制御装置における負担（処理スピードや各種検出器の検出情報を読み込む範囲等）を軽減できると共に、様々な制御動作を同時処理可能となる。しかも、一部の制御機能のみに生じた故障が他の制御機能に影響を及ぼすことを防ぐことができ、例えば、カード制御装置９に支障が生じた場合においても、遊技媒体たる小球を他から供給することで、当該パチンコ機１におけるパチンコ遊技を通常通り行うことができるのである。
　【０１０４】
　次に、遊技盤制御装置１３２について詳述する。この遊技盤制御装置１３２は、遊技盤５内に設けられた可変表示装置２５や変動入賞装置２８等の遊技装置を遊技内容に応じて制御すると共に、各種入賞具２２…に入賞した球を第１入賞球として処理し、第１〜第３始動口３０〜３２等に入賞した入賞球を第２入賞球として処理し、これら第１入賞球もしくは第２入賞球に応じた所定の排出賞球数を賞球データ信号として排出制御装置１３３へ送出する遊技盤制御手段１３６を単一基板に設けることで構成したものである。
　【０１０５】
　なお、遊技盤制御装置１３２には上記遊技盤制御手段１３６のほかに、入賞球払出手段１３７、大当り情報出力手段１３８、スタート情報出力手段１３９、エラー情報出力手段１４０、音声出力手段１４１を設けてあり、排出制御装置１３３より賞球排出が完了したことに基づく賞球排出確定信号が賞球排出確定信号線Ｌ６を介して入賞球払出手段１３７に入力されると、入賞球払出手段１３７はセーフソレノイド５８を所定時間オンさせて入賞球１個のみの払出を行い、上記遊技盤制御手段１３６より大当り情報出力手段１３８、スタート情報出力手段１３９、エラー情報出力手段１４０へ各情報出力要求が為されると、大当り情報出力手段１３８より大当り情報出力信号線Ｌ１を介して大当り情報を、スタート情報出力信号線Ｌ２を介してスタート情報を、エラー情報出力信号線Ｌ３を介してエラー情報を夫々管理装置１３４へ出力するのである。
　【０１０６】
　上記大当り情報出力手段１３８は、可変表示装置２５の可変表示器２６の所定の表示態様が表示されてなる「大当り」が当該パチンコ機１に発生したことを管理装置１３４へ出力するものであり、スタート情報出力手段１３９は、第１〜第３始動スイッチ２９ａ〜２９ｃに入賞することに基づいて可変表示器２６の変換表示が実際に行われた回数（第１〜第３始動口３０〜３２への入賞記憶は４個までであるために、始動入賞の発生回数と実際の始動回数は異る場合がある。）を管理装置１３４へ出力するものであり、エラー情報出力手段１４０は、各種遊技装置のエラー情報や当該パチンコ機１に対して為された不正の状態を管理装置１３４へ出力するものである。
　【０１０７】
　このように、各種の遊技情報を遊技盤制御装置１３２から管理装置１３４へ出力させることによって、各パチンコ機１…における遊技状態を管理装置１３４で総括的に管理することができる。しかも、当該パチンコ機１における営業上の収支を概算する上で有用な判断資料となる大当りの発生率を算出するための大当り情報およびスタート情報を管理装置１３４に供給可能としたので、これらの情報を必要とする遊技店側が各パチンコ機１の制御基板に違法な改造を施し、無用な故障を引き起こすような事態を避けられる。
　【０１０８】
　また、遊技盤制御装置１３２の音声出力手段１４１に、排出制御装置１３３より賞球排出音要求信号線Ｌ７を介して賞球排出音要求信号が、貸球排出音要求信号線Ｌ８を介して貸球排出音要求信号が、カード挿入音要求信号線Ｌ９を介してカード挿入音要求信号が、カード排出音要求信号線Ｌ１０を介してカード排出音要求信号が夫々入力されると、音声出力手段１４１は各要求信号に応じて予め設定された所定の効果音をスピーカ１２６より出力するのである。なお、遊技盤制御手段１３６が行う遊技制御に関連した遊技音を発するために、遊技盤制御手段１３６からも遊技音要求信号線Ｌ２０を介して“遊技音要求信号”が音声出力手段１４１に入力されるようにしてある。
　【０１０９】
　このように、各種音声を出力するための音声出力手段１４１を遊技盤制御装置１３２に一括して設けることで、単一の音声生成部材ですべての音声出力を行うことが可能となり、省スペース及びコストダウンを図ることができる。しかも、当該パチンコ機１の遊技盤５を交換する毎に交換される遊技盤制御装置１３２に音声出力手段１４１を設けることで、カードの挿入・排出音等の各種の音声を適宜に変えることができ、比較的短周期で流行の変わる遊技内容と併せて効果音を斬新なものに変更できる。
　【０１１０】
　上記遊技盤制御手段１３６には、直接遊技盤５の動作制御を行わせるための遊技制御手段１４２を設けてあり、該遊技制御手段１４２は第１〜第３始動スイッチ２９ａ〜２９ｃが始動入賞球を検出することに基づいて、可変表示装置２５の可変表示器２６を視認不可能な速度で変換表示させる補助遊技を行い、この変換表示の開始から所定時間が経過するか、もしくは遊技者がストップスイッチ（図示省略）を操作することに基づいて変換表示を停止させ、停止図柄が予め設定された特別図柄に該当した場合にのみ変動入賞装置２８を所定時間所定のタイミングで第２状態に変換させる特別遊技を開始させるのである。
　【０１１１】
　また、全ての入賞球を検出するセーフセンサ５３とは別途に各入賞口内に設けた第２入賞球検出器１４３（例えば第１〜第３始動スイッチ１９ａ〜１９ｃ、継続入賞検出器４９、入賞個数検出器５０等）の検出信号が遊技盤制御手段１３６に入力されると、該検出信号に基づいて第２入賞球検出手段１４４が第２入賞球検出信号を賞球数確定手段１４５に送出する。
　【０１１２】
　上記賞球数確定手段１４５には、セーフセンサ５３よりのオン信号に基づいて、入賞球検出信号を送出する入賞球検出手段１４６を設けてあり、該入賞球検出手段１４６より入賞球検出信号が入力される賞球数記憶手段１４７には第１入賞球に基づく第１賞球数（例えば１３個）を予め記憶させてある。そして、入賞球検出手段１４６より入賞球検出信号が入力されると、賞球数記憶手段１４７は賞球データ送信手段１４８に第１賞球数を賞球データとしてセットし、この賞球データ信号が賞球データ信号線Ｌ４を介して排出制御装置１３３へ出力されることによって、排出制御装置１３３による遊技媒体排出装置６４の動作制御に基づく第１賞球数分の遊技媒体が賞球として排出される。
　【０１１３】
　ここで、セーフセンサ５３をオンさせた入賞球が、第２入賞球検出器１４３によって検出された第２入賞球であった場合には、遊技制御手段１４２の第２入賞球検出手段１４４より出力された第２入賞球検出信号が賞球数確定手段１４５内の第２賞球数記憶手段１４９に入力され、該信号の入力に伴って第２賞球数記憶手段１４９は予め記憶している第２賞球数（例えば７個）を第２入賞球数信号として賞球数記憶手段１４７へ出力する。そして、この第２賞球数信号が入力されている間においては、賞球数記憶手段１４７が記憶する第１賞球数は規制されて、賞球数記憶手段１４７を介して賞球データ送信手段１４８へ第２賞球数が供給されるようにしてある。かくして、第２入賞球検出器１４３が検出した第２入賞球に基づく賞球数を異らしめることが可能になるのである。
　【０１１４】
　また、第２賞球数記憶手段１４９より発される第２入賞球数信号は、２入力の第１アンド回路１５０の一方の入力側に供給されるものとしてあり、該第１アンド回路１５０の他方の入力側には排出制御装置１３３より賞球排出確定信号線Ｌ６を介して供給される賞球排出確定信号を入力させると共に、このゲート出力は第２賞球数記憶手段１４９のリセット信号として機能するように構成してある。すなわち、第２賞球数記憶手段１４９より賞球数記憶手段１４７へ第２賞球数信号が供給されることに基づいて排出制御装置１３３が賞球排出動作を行い、この賞球排出動作が完了することに基づいて排出制御装置１３３より発される賞球排出確定信号が第１アンド回路１５０に入力されることで、第１アンド回路１５０のゲート出力が第２賞球数記憶手段１４９をリセットするのである。
　【０１１５】
　上記のようにして第２賞球数記憶手段１４９がリセットされた後においても、第２入賞球検出手段１４４に別の第２入賞記憶が残っている場合には、一旦リセットされた第２賞球数記憶手段１４９に改めて第２入賞球検出手段１４４より第２入賞記憶が供給されることに基づいて、第２賞球数記憶手段１４９が賞球数記憶手段１４７へ第２賞球数を供給し、第２賞球数分の賞球排出動作が行われる。一方、第２入賞球検出手段１４４に他の第２入賞球記憶がなく、入賞球検出手段１４６より賞球数記憶手段１４７へ入賞球検出信号が出力されていた場合には、賞球数記憶手段１４７から賞球データ送信手段１４８へ第１賞球数信号が出力されることに基づいて、第１賞球数分の賞球排出動作が行われるのである。
　【０１１６】
　なお、本実施例における賞球数確定手段１４５においては、賞球数記憶手段１４７とは別途に第２賞球数を記憶させるための第２賞球数記憶手段１４９を設けるものとしたが、例えば、第１賞球数および第２賞球数を併せて記憶する賞球数記憶手段を構成し、入賞球検出手段１４６から入賞球検出信号が入力されて、尚且つ第２入賞球検出手段１４４に第２入賞球記憶がある場合に第２賞球数を賞球データ送信手段１４８へ供給し、第２入賞球検出手段１４４に第２入賞記憶がない場合においては第１賞球数を賞球データ送信手段１４８へ供給するように構成してもよい。
　【０１１７】
　また、第１入賞球および第２入賞球の他に第３入賞球等を設定し、遊技盤５内の所定の入賞口内に第３入賞球検出器等を設けておき、第１〜第３入賞球に応じた賞球数を賞球データ送信手段１４８から排出制御装置１３３へ供給させるようにして、３種類の異った数の賞球排出を行い得るようにしてもよい。無論、４種類以上の賞球排出数を設定してもよい。なお、全ての入賞球に基づく排出賞球数を同一とする場合には、セーフセンサ５３のオン信号に基づいて第１賞球数のみが賞球データ送信手段１４８へ供給されるように、賞球数確定手段１４５を構成すればよい。
　【０１１８】
　上記音声出力手段１４１には優先制御手段１５１を設けてあり、各信号線を介して音声出力手段１４１に供給される賞球排出音要求信号、貸球排出音要求信号、カード挿入音要求信号、カード排出音要求信号、遊技音要求信号が上記優先制御手段１５１へ一旦入力され、複数の音要求信号が競合した場合の優先順位を優先制御手段１５１が決定するのである。例えば、遊技音の出力中に、遊技者の意志に基づく球貸要求があり、該球貸要求による貸球排出動作が行われる場合においては、この貸球排出動作が的確に行われたことを遊技者に認識させることが優先されるために、遊技音の出力を一旦中止して、貸球排出音の出力を行わせるのである。
　【０１１９】
　そして、優先制御手段１５１は、遊技音要求信号に基づいて遊技音出力手段１５２へ信号出力し、賞球排出音要求信号に基づいて賞球排出音出力手段１５３へ信号出力し、貸球排出音要求信号に基づいて貸球排出音出力手段１５４へ信号出力し、カード挿入音要求信号に基づいてカード受付音出力手段１５５へ信号出力し、カード排出音要求信号に基づいてカード排出音出力手段１５６へ信号出力する。優先制御手段１５１より信号入力されることで、予め設定された所定の音声が各音出力手段より出力され、第１オア回路１５７を介してスピーカ１２６へ供給されるのである。
　【０１２０】
　次に、排出制御装置１３３について詳述する。排出制御装置１３３は図１８に示すように、遊技盤制御装置１３２よりの賞球排出要求もしくはカード制御装置９よりの球貸要求に応じて、遊技媒体排出装置６４を適宜に駆動させ、所定数の遊技媒体たる遊技球を排出させる排出制御手段１５８を単一基板に設けて構成したものである。
　【０１２１】
　また、排出制御装置１３３には排出開始条件確認手段１５９を設けてあり、この排出開始条件確認手段１５９が排出制御可能な状態であるか否かを確認し、該排出開始条件確認手段１５９より“排出開始可能信号”が排出開始可能信号線Ｌ２１を介して排出制御手段１５８に供給された場合にのみ、排出制御手段１５８による遊技媒体排出動作が可能となるのでる。
　【０１２２】
　上記排出開始条件確認手段１５９には、枠センサ１２５、オーバーフロースイッチ１１９、排出待機球検出器６８の検出出力が入力されるようにしてあり、枠センサ１２５より発される検出出力は枠閉塞状態確認手段１６０に、オーバーフロースイッチ１１９より発される検出出力は溢球貯留量確認手段１６１に、排出待機球検出器６８より発された検出出力は排出待機球確認手段１６２に夫々供給される。そして、前面パネル３ａが開放された状態を枠センサ１２５が検出（例えばハイレベルの検出信号を出力）した場合には、該検出信号の入力に伴って上記枠閉塞状態確認手段１６０は第１排出可能信号の出力を停止する。また、オーバーフロースイッチ１１９が分配樋１１７内に球が溢れた状態を検出（例えばＨレベルの検出信号を出力）した場合には、該検出信号の入力に伴って上記溢球貯留量確認手段１６１は第２排出可能信号の出力を停止する。さらに、排出待機球確認手段１６２が遊技媒体排出装置６４に供給可能な排出待機球の不足を検出（例えばＨレベルの検出信号を出力）した場合には、該検出信号の入力に伴って上記排出待機球確認手段１６２が第３排出可能信号の出力を停止する。
　【０１２３】
　枠閉塞状態確認手段１６０より出力される第１排出可能信号、溢球貯留量確認手段１６１より出力される第２排出可能信号、排出待機球確認手段１６２より出力される第３排出可能信号は、３入力の第２アンド回路１６３に夫々供給されるものとしてあり、これら第１〜第３排出可能信号が入力されている間にのみ、第２アンド回路１６３のゲート出力として排出開始可能信号が排出開始可能信号線Ｌ２１を介して排出制御手段１５８に供給される。すなわち、溢球貯留量確認手段１６１、オーバーフロースイッチ１１９、排出待機球検出器６８の何れかが遊技媒体排出に好ましくない状態を検出している場合には、第２アンド回路１６３より排出開始可能信号を出力させないことで、排出制御手段１５８の制御に基づく遊技媒体排出動作を規制するのである。
　【０１２４】
　上記排出開始条件確認手段１５９より排出開始可能信号が入力されている間においては、遊技盤制御装置１３２より賞球データ信号線Ｌ４およびストローブ信号線Ｌ５を介して賞球データ信号およびストローブ信号が入力されることに基づいて、排出制御手段１５８は遊技媒体排出装置６４の第１，第２排出ソレノイド１０４ａ，１０４ｂを駆動させると共に、第１，第２排出センサ９１ａ，９１ｂよりの検出信号に基づいて排出球数をカウントし、遊技盤制御装置１３２より供給された賞球データ信号に対応する所定数の遊技球を排出するのである。
　【０１２５】
　また、排出制御手段１５８は球貸排出が可能な状態にある場合には、Ｐ台レディ信号線Ｌ１６を介してＰ台レディ信号を球貸排出可能信号としてカード制御装置９へ出力しており、該信号出力中にカード制御装置９より球貸要求信号線Ｌ１５を介して球貸要求信号が入力されると、上記賞球排出動作と同様にして、要求された所定数の遊技球を遊技媒体排出装置６４から排出させるのである。なお、本実施例においては、排出制御手段１５８が貸球排出動作を行うに際しては、カード制御装置９よりカード信号線Ｌ１８を介してカード信号が入力されていることが動作可能条件の一つとなるように設定してあり、カード信号が停止することに伴って、排出制御手段１５８は、未排出分の貸球要求があった場合でも、これらの貸球要求を無効とするのである。
　【０１２６】
　さらに、上記排出制御手段１５８は球抜排出動作の制御も行うものとしてあり、球抜センサ１１２より検出信号が入力されると、排出制御手段１５８は球抜ソレノイド１２３を駆動させて排出球の流下路を切り変えると共に、第１，第２排出ソレノイド１０４ａ，１０４ｂを駆動させて排出待機球を遊技媒体排出装置６４より排出させるのである。なお、球抜動作と関連させて排出ロック機構８８を駆動させるものとすれば、該排出ロック機構８８よりも上流側（図９に示す実施例においては、第１屈曲部９３、第２傾斜部９４、第２屈曲部９５、垂直部９６、誘導部９７、調流部９８）に位置する待機球のみを遊技媒体排出装置６４から排出することができる。
　【０１２７】
　また、排出制御装置１３３には排出制御手段１５８のほかに、音声出力要求手段１６４、情報出力手段１６５、表示駆動手段１６６、賞球排出確定信号出力手段１６７、貸球排出確定信号出力手段１６８を設けてあり、これらも排出制御手段１５８と同じ単一基板上に形成されるものとしてある。
　【０１２８】
　図２０に示すように、上記音声出力要求手段１６４には、賞球排出音要求手段１６９、貸球排出音要求手段１７０、カード挿入音要求手段１７１、カード排出音要求手段１７２を設けてあり、排出制御手段１５８が賞球もしくは貸球排出動作を行うことに関連して出力する“賞球排出中信号”或いは“貸球排出中信号”は、賞球排出中信号線Ｌ２２もしくは貸球排出中信号線Ｌ２３を介して賞球排出音要求手段１６９或いは貸球排出音要求手段１７０に入力され、カード制御装置９がプリペイドカード１３１を保持していることに関連して出力されるカード信号は、カード信号線Ｌ１８を介してカード挿入音要求手段１７１及びカード排出音要求手段１７２に入力される。
　【０１２９】
　そして、賞球排出音要求手段１６９は賞球排出中信号が入力されることに基づいて賞球排出音要求信号を賞球排出音要求信号線Ｌ７を介して遊技盤制御装置１３２へ出力し、貸球排出音要求手段１７０は貸球排出中信号が入力されることに基づいて貸球排出音要求信号を貸球排出音要求信号線Ｌ８を介して遊技盤制御装置１３２へ出力する。かくして、上記した遊技盤制御装置１３２の音声出力手段１４１か所定の音声信号をスピーカ１２６へ出力するのである。
　【０１３０】
　また、カード挿入音要求手段１７１はカード制御装置９より入力されたカード信号の立ち上がりエッヂを検出して、カード挿入音要求信号をカード挿入音要求信号線Ｌ９を介して遊技盤制御装置１３２へ出力し、カード排出音要求手段１７２は同カード信号の立ち下がりエッヂを検出して、カード排出音要求信号をカード排出音要求信号線Ｌ１０を介して遊技盤制御装置１３２へ出力するのである。かくして、プリペイドカード１３１がカード制御装置９内に挿入された際にはカード挿入音信号を、プリペイドカード１３１が排出された際にはカード排出音信号を、夫々音声出力手段１４１がスピーカ１２６へ出力し、カードの挿入・排出時における所定の音声を出力できるのである。
　【０１３１】
　また、図２１に示すように、上記情報出力手段１６５には、賞球情報出力手段１７３、売上情報出力手段１７４、補給要求出力手段１７５、アウト情報出力手段１７６を設けてあり、賞球排出動作を行うことに関連して排出制御手段１５８より出力される“賞球排出数信号”が賞球排出数信号線Ｌ２４を介して上記賞球情報出力手段１７３に、貸球排出動作を行うことに関連して排出制御手段１５８より出力される“貸球排出終了信号”が貸球排出終了信号線Ｌ２５を介して上記売上情報出力手段１７４に、補給センサ６５の検出出力が上記補給要求出力手段１７５に、アウトセンサ６１の検出出力が上記アウト情報出力手段１７６に、夫々供給されるものとしてある。
　【０１３２】
　そして、上記賞球情報出力手段１７３は、排出制御手段１５８が行った排出賞球数情報たる賞球排出数信号を計数し、該計数値が所定数（例えば１０個）に達することに基づいて、１パルスの賞球数信号を賞球数信号線Ｌ１１を介して管理装置１３４へ出力する。上記売上情報出力手段１７４は、排出制御手段１５８が行った貸球排出数情報たる貸球排出終了信号を計数し、所定数（例えば遊技媒体貸出の最小単位数たる２５個）の貸球排出数を一単位として、一単位に対して１パルスの買信号を買信号線Ｌ１２を介して管理装置１３４へ出力する。上記補給要求出力手段１７５は、補給センサ６５の検出出力を受信することに基づいて、補給信号を補給信号線Ｌ１３を介して管理装置１３４へ出力する。上記アウト情報出力手段１７６は、アウトセンサ６１の検出出力を計数して、該計数値が所定数（例えば１０個）に達することに基づいて、１パルスのアウト数信号をアウト数信号線Ｌ１４を介して管理装置１３４へ出力する。
　【０１３３】
　このように、各種の遊技情報等を管理装置１３４へ出力することによって、管理装置１３４は当該パチンコ機１の遊技状態を取得可能となる。例えば、賞球情報出力手段１７３から当該パチンコ機１で実際に排出された賞球数が、アウト情報出力手段１７６から当該パチンコ機１において遊技盤５の遊技部２１内に弾球された打込球数が、夫々管理装置１３４へ供給されるので、これらの情報に基づいて当該パチンコ機１における打止め管理を行うことができ、従来のごとく、各パチンコ機１…の球貯留タンク６２へ補給した球数や、遊技媒体排出装置６４から排出された球数によって打止め管理を行う必要がない。さらに、補給数や排出数には、遊技者に意志に基づく貸球排出動作に供された球数も含まれるので、単に補給数や排出数を打止め管理に供した場合の弊害も解消することができる。また、これらの情報を得るために、遊技店側が各種検出機構部等に違法な改造を施す必要もない。
　【０１３４】
　なお、賞球情報出力手段１７３および売上情報出力手段１７４は、排出制御手段１５８より供給される賞球排出数信号もしくは貸球排出終了信号を計数して、該カウント数が所定数に達する毎に信号出力するとして上記構成に限定されるものではない。例えば、賞球排出動作もしくは貸球排出動作を行うことによって排出された遊技媒体数を排出制御手段１５８が計数し、この計数値が所定数（例えば、排出賞球数が１０個、排出貸球数が２５個）に達する毎に、単位賞球数排出完了信号もしくは単位貸球数排出完了信号を賞球情報出力手段１７３もしくは売上情報出力手段１７４へ出力し、これら完了信号の入力毎に１パルスの賞球数信号もしくは買信号を出力するように構成してもよい。また、所定数の排出賞球もしくは排出貸球が検出される毎に、賞球数信号もしくは買信号を出力する構成に限らず、排出賞球もしくは排出貸球が検出される毎に、賞球情報出力手段１７３もしくは売上情報出力手段１７４が排出賞球検出信号もしくは排出貸球検出信号を出力するように構成してもよい。
　【０１３５】
　図２２に示すように、上記表示駆動手段１６６には、貸球可能表示手段１７７、貸球排出表示手段１７８、賞球排出表示手段１７９を設けてあり、上記貸球可能表示手段１７７には、プリペイドカード１３１を保持していることに関連してカード制御装置９より発されるカード信号がカード信号線Ｌ１８を介して、上記貸球排出表示手段１７８には、排出制御手段１５８が貸球排出動作を行うことに関連して出力される貸球排出中信号が貸球排出中信号線Ｌ２３を介して、上記賞球排出表示手段１７９には、排出制御手段１５８が賞球排出動作を行うことに関連して出力される賞球排出中信号が賞球排出中信号線Ｌ２２を介して、夫々供給されるものとしてある。
　【０１３６】
　そして、貸球可能表示手段１７７は、カード信号が入力されている間継続して貸球可能表示部１７へ貸球可能表示出力を行い、貸球排出表示手段１７８は、貸球排出中信号が入力されている間継続して貸球排出表示部１８へ貸球排出表示出力を行い、賞球排出表示手段１７９は、賞球排出中信号が入力されている間継続して賞球排出表示部１９へ賞球排出表示出力を行う。かくして、カード制御装置９がプリペイドカード１３１を保持している貸球可能時においては貸球可能表示部１７が、プリペイドカード１３１の使用に基づく球貸要求に基づく貸球排出動作中には貸球排出表示部１８が、各種入賞具２２…等への入賞に基づく賞球排出動作中には賞球排出表示部１９が、夫々オン状態となり、各状態を遊技者に可視表示するのである。なお、本実施例においては、プリペイドカード１３１の残高が“０”（球貸不可能な状態）になった場合には、プリペイドカード１３１を強制的に排出するものとし、プリペイドカード１３１がカード制御装置９内挿入されている間は球貸可能な状態となるようにしてある。
　【０１３７】
　また、上記賞球排出確定信号出力手段１６７は、排出制御手段１５８が賞球排出動作を完了することに基づいて出力される“賞球排出終了信号”が賞球排出終了信号線Ｌ２６を介して入力されることで、遊技盤制御装置１３２より受信した賞球データ分の賞球排出動作が完了したことを意味する賞球排出確定信号を賞球排出確定信号線Ｌ６を介して遊技盤制御装置１３２へ出力するものとし、上記貸球排出確定信号出力手段１６８は、排出制御手段１５８が貸球排出動作を完了することに基づいて出力される貸球排出終了信号がＬ２５を介して入力されることで、遊技媒体貸出の最小単位数（例えば２５個）の排出を一単位として、この一単位分の貸球排出動作終了毎に、球貸最小単位量排出完了信号としての払出完了信号を払出完了信号線Ｌ１７を介してカード制御装置９へ出力するものとしてある。
　【０１３８】
　次に、排出制御装置１３３の主たる機能を司どる排出制御手段１５８について詳述する。この排出制御手段１５８の主要部は、賞球排出手段１８０、停電制御手段１８１、貸球排出手段１８２、球抜排出手段１８３から構成してあり、上記賞球排出手段１８０、貸球排出手段１８２、球抜排出手段１８３の制御出力に基づいて、遊技媒体排出装置６４の第１，第２排出ソレノイド１０４ａ，１０４ｂへ駆動出力を行う排出ソレノイド駆動手段１８４、該第１，第２排出ソレノイド１０４ａ，１０４ｂの駆動に伴って排出される遊技媒体を検出する第１，第２排出センサ９１ａ，９１ｂの検出出力を賞球排出手段１８０、貸球排出手段１８２、球抜排出手段１８３へ供給する排出球検出手段１８５を別途設けてある。
　【０１３９】
　図２４に示すように、上記賞球排出手段１８０は、遊技盤制御装置１３２から賞球データ信号線Ｌ４を介して賞球データ信号が入力されることに基づいて、この賞球データ信号に応じた数の賞球排出動作を行うものであり、遊技媒体排出装置６４の第１遊技媒体排出機構８５ａから賞球排出動作を行わせるための第１排出ソレノイド駆動指令信号を第１排出ソレノイド駆動指令信号線２７ａを介して１８４へ、第２遊技媒体排出機構８５ｂから賞球排出動作を行わせるための第２排出ソレノイド駆動指令信号を第２排出ソレノイド駆動指令信号線Ｌ２７ｂを介して排出ソレノイド駆動手段１８４へ、夫々別個に供給するものとしてある。
　【０１４０】
　かくすることによって、排出賞球数が奇数であった場合（例えば１３個排出の場合）等に、第１遊技媒体排出機構８５ａからの排出球数（例えば７個）と第２遊技媒体排出機構８５ｂからの排出球数（例えば６個）とを指令制御できると共に、停電や不正・エラー等によって排出途中で遊技媒体排出装置６４の動作停止を余儀なくされた場合の未排出数分の賞球を改めて排出する際にも、第１遊技媒体排出機構８５ａと第２遊技媒体排出機構８５ｂとから夫々排出させる球数の指令制御も行えるのである。
　【０１４１】
　なお、ストローブ信号線Ｌ５を介して遊技盤制御装置１３２より入力されるストローブ信号は、賞球排出手段１８０が賞球データ信号を読み取るタイミングを調節するもので、例えば常時ハイレベルのストローブ信号を、賞球データ信号の出力から１０ｍｓ経過の後に、ローレベルに落とし、該ストローブ信号がＬレベルになってから例えば１０ｍｓ経過後に、賞球排出手段１８０は賞球排出処理を開始するのである。
　【０１４２】
　上記した賞球データ信号およびストローブ信号は、賞球排出手段１８０に設けた賞球排出数記憶・演算手段１８６に入力され、この賞球排出数記憶・演算手段１８６が賞球データ信号を記憶し、賞球排出動作が開始されることに伴って、第１排出球検出信号線２８ａおよび第２排出球検出信号線２８ｂを介して入力される第１排出球検出信号および第２排出球検出信号を夫々“１”として、賞球データ信号に基づく賞球数から順次減数するのである。そして、排出すべき賞球の残数を賞球排出残数信号として、賞球排出残数信号線Ｌ２９を介して賞球排出動作制御手段１８７へ供給するのである。
　【０１４３】
　なお、この賞球排出残数信号は停電制御手段１８１にも供給され、停電等による強制停止時に賞球排出残数が記憶保持されるようにしてある。また、当該パチンコ機１の電源が復旧した際には、停電制御手段１８１より賞球排出残数記憶信号線Ｌ３０を介して、賞球排出残数記憶信号が賞球排出数記憶・演算手段１８６に入力されるものとしてあり、該信号の入力に基づいて、賞球排出手段１８０は賞球排出動作の再開が可能となるのである。
　【０１４４】
　上記賞球排出数記憶・演算手段１８６より賞球排出残数信号線Ｌ２９を介して賞球排出信号が供給される賞球排出動作制御手段１８７は、排出開始条件確認手段１５９より排出開始可能信号線Ｌ２１を介して排出開始可能信号が入力されている場合であって、且つ、貸球排出手段１８２より貸球排出中信号線Ｌ２２を介して出力される貸球排出中信号および球抜排出手段１８３より球抜排出中信号線Ｌ３１を介して出力される球抜排出中信号が、何れも入力されていない場合に限って、排出ソレノイド駆動手段１８４へ第１，第２排出ソレノイド駆動指令信号を出力するのである。
　【０１４５】
　なお、本実施例における賞球排出動作制御手段１８７は、賞球データ信号に基づく排出賞球球数が偶数の場合には両遊技媒体排出機構８５ａ，８５ｂから同数の球排出動作を行わせるものとし、排出賞球数が奇数の場合には何れか一方の遊技媒体排出機構から１個だけ多く排出させるものとしてある。かくすれば、第１，第２遊技媒体排出機構８５ａ，８５ｂの排出球数を予め設定する必要がなく、賞球排出数記憶・演算手段１８６より供給される賞球排出残数信号が“１”になった場合に、何れか一方の排出ソレノイドを停止させ、他方の遊技媒体排出機構から端数の賞球を１個のみ排出させることで、所定数の賞球を排出することが可能となるのである。
　【０１４６】
　一方、賞球排出動作制御手段１８７は、賞球排出中継続して、賞球排出中信号を賞球排出中信号線Ｌ２２を介して表示駆動手段１６６、音声出力要求手段１６４へ出力し、賞球排出中であることを賞球排出表示部１９に表示すると共に、遊技盤制御装置１３２の制御に基づく所定の音声をスピーカ１２６より出力させるのである。この賞球排出中信号は貸球排出手段１８２、球抜排出手段１８３及び停電制御手段１８１へも供給されるものとしてあり、賞球排出手段１８０の制御に基づく賞球排出動作が行われている間においては、貸球排出動作および球抜排出動作か規制されると共に、停電等によるシステムの強制ダウンが生じた場合のバックアップを可能ならしめるのである。
　【０１４７】
　また、賞球排出動作制御手段１８７は、賞球排出動作が終了することに伴って、賞球排出終了信号を賞球排出終了信号線Ｌ２６を介して賞球排出確定信号出力手段１６７へ出力し、賞球データ信号として供給された賞球排出要求分の球排出動作が終了したことを意味する賞球排出確定信号を遊技盤制御装置１３２へ出力させるのである。さらに、賞球排出動作の終了時には、当該賞球排出動作によって排出した賞球数の総数を賞球排出数信号として、賞球排出数数信号線Ｌ２４を介して情報出力手段１６５へ出力する。なお、上記したように、賞球排出手段１８０内の賞球排出動作制御手段１８７より情報出力手段１６５へ排出賞球数を出力するものに限らず、例えば賞球排出残数信号が減数される毎に一の球排出完了信号を出力するようにしてもよい。
　【０１４８】
　また、停電等による強制停止時に賞球排出残数が停電制御手段１８１に記憶保持されていた場合に、当該パチンコ機１の復旧時には、停電制御手段１８１より上記賞球排出数記憶・演算手段１８６へ賞球排出残数記憶信号線Ｌ３０を介して賞球排出残数記憶信号が入力されると共に、賞球排出続行信号線Ｌ３２を介して賞球排出続行信号が賞球排出動作制御手段１８７へ供給されることによって、賞球排出数記憶・演算手段１８６より賞球排出残数信号が供給された賞球排出動作制御手段１８７は、第１，第２排出ソレノイド駆動指令信号を排出ソレノイド駆動手段１８４へ出力する。かくして、賞球排出動作が続行されるのである。
　【０１４９】
　図２５に示すように、上記貸球排出手段１８２は、カード制御装置９から貸球要求信号線Ｌ１５を介して貸球要求信号が入力されることに基づいて、この貸球要求信号に応じた数の貸球排出動作を行うものであり、遊技媒体排出装置６４の第１遊技媒体排出機構８５ａから貸球排出動作を行わせるための第１排出ソレノイド駆動指令信号を第１排出ソレノイド駆動指令信号線２７ａを介して排出ソレノイド駆動手段１８４へ、第２遊技媒体排出機構８５ｂから貸球排出動作を行わせるための第２排出ソレノイド駆動指令信号を第２排出ソレノイド駆動指令信号線Ｌ２７ｂを介して排出ソレノイド駆動手段１８４へ、夫々別個に供給するものとしてある。
　【０１５０】
　かくすることによって、排出貸球数が奇数であった場合（例えば２５個排出の場合）等に、第１遊技媒体排出機構８５ａからの排出球数（例えば１３個）と第２遊技媒体排出機構８５ｂからの排出球数（例えば１２個）とを指令制御できると共に、停電や不正・エラー等によって排出途中で遊技媒体排出装置６４の動作停止を余儀なくされた場合の未排出数分の貸球を改めて排出する際にも、第１遊技媒体排出機構８５ａと第２遊技媒体排出機構８５ｂとから夫々排出させる球数の指令制御も行えるのである。
　【０１５１】
　上記した貸球要求信号は、例えば所定時間幅のパルス信号としてあり、貸球最小単位を１パルスとして出力する。したがって、貸球可能な最小価値単位（例えば１００円）に該当する第１選択スイッチ１１ａが選択された場合には１パルスの貸球要求信号が、２単位に該当する第２選択スイッチ１１ｂが選択された場合いは２パルスの貸球要求信号が、３単位に該当する第３選択スイッチ１１ｃが選択された場合には３パルスの貸球要求信号が、５単位に該当する第４選択スイッチ１１ｄが選択された場合には５パルスの貸球要求信号が、夫々カード制御装置９から供給されるのである。
　【０１５２】
　そして、上記のようにして貸球排出手段１８２に供給された貸球要求信号は、先ず２入力の第３アンド回路１８８の一方の入力側へ供給される。この第３アンド回路１８８の他方の入力側には、貸球数記憶手段１８９より貸球数記憶信号が入力されるものとしてあり、貸球要求信号線Ｌ１５を介して貸球要求信号が入力される毎に、第３アンド回路１８８のゲート出力として貸球排出数信号が貸球排出数記憶・演算手段１９０に入力される。すなわち、貸球要求に応じた球貸単位のパルス数に等しい貸球排出数信号が上記貸球排出数記憶・演算手段１９０に入力され、該貸球排出数信号に基づいて、貸球排出数記憶・演算手段１９０は排出すべき球数を記憶するのである。
　【０１５３】
　また、この貸球排出数記憶・演算手段１９０は、貸球排出動作が開始されることに伴って、第１排出球検出信号線２８ａおよび第２排出球検出信号線２８ｂを介して入力される第１排出球検出信号および第２排出球検出信号を夫々“１”として、排出すべき球数から順次減数する。そして、排出すべき球数の残数を貸球排出残数信号として、貸球排出残数信号線Ｌ３３を介して貸球排出動作制御手段１９１へ供給するのである。
　【０１５４】
　なお、この貸球排出残数信号は停電制御手段１８１にも供給され、停電等による強制停止時に貸球排出残数が記憶保持されるようにしてある。また、当該パチンコ機１の電源が復旧した際には、停電制御手段１８１より貸球排出残数記憶信号線Ｌ３４を介して、貸球排出残数記憶信号が貸球排出数記憶・演算手段１９０に入力されるものとしてあり、該信号の入力に基づいて、貸球排出手段１８２は貸球排出動作の再開が可能となるのである。
　【０１５５】
　上記貸球排出数記憶・演算手段１９０より貸球排出残数信号線Ｌ３３を介して貸球排出残数信号が供給される貸球排出動作制御手段１９１は、排出開始条件確認手段１５９より排出開始可能信号線Ｌ２１を介して排出開始可能信号が入力されている場合であって、且つ、１８０より賞球排出中信号線Ｌ２２を介して出力される賞球排出中信号および球抜排出手段１８３より球抜排出中信号線Ｌ３１を介して出力される球抜排出中信号が、何れも入力されていない場合に限って、排出ソレノイド駆動手段１８４へ第１，第２排出ソレノイド駆動指令信号を出力し、遊技媒体排出装置６４より遊技球の排出が可能になるようにする。
　【０１５６】
　しかして、本実施例においては、予め設定された貸球排出可能な上限値に基づいて、該上限値を越えた球貸要求があった場合には、該上限値以上の貸球動作を行わないように、貸球上限判定手段１９２及び貸球上限記憶手段１９３を設けてある。上記貸球上限判定手段１９２には、貸球要求信号線Ｌ１５を介して入力される貸球要求信号が供給され、該貸球要求信号に基づく貸球排出要求数が、貸球上限記憶手段１９３に記憶されている貸球可能上限値を越えているか否かを判定するのである。そして、貸球可能上限値を越えていた場合には、貸球排出数記憶・演算手段１９０および貸球排出動作制御手段１９１へ貸球排出規制信号線Ｌ３５を介して貸球排出規制信号を出力する。該貸球排出規制信号が貸球上限判定手段１９２より供給された貸球排出数記憶・演算手段１９０は、入力された貸球排出数信号に基づく貸球排出数の積算記憶値のうち、貸球上限値を越えた部分を無効とし、該貸球排出規制信号が入力された貸球排出動作制御手段１９１は、貸球排出残数信号に基づく貸球排出動作を行わない。
　【０１５７】
　かくすることによって、短時間に為された貸球要求に基づく連続した貸球排出数を規制することができ、遊技者が誤って球貸ボタン１１を操作した場合等に、常識では考えられない程多量の貸球要求が為されたような場合には、該要求によって遊技者が不利益を蒙ることを未然に防止できると共に、多量の貸球排出を連続して行うことによって、賞球排出動作等の他の動作制御に支障を来すような事態が生ずることを避けられるのである。また、多量の貸球排出が行われることによって、オーバーフロースイッチ１１９がオンすることも防げる。
　【０１５８】
　なお、上記した本実施例における貸球排出数記憶・演算手段１９０は、貸球上限判定手段１９２が貸球上限記憶手段１９３の貸球記憶上限値を越えると判定した場合に出力する貸球排出規制信号に基づいて、貸球可能上限値を越える部分のみを無効にするものとしたが、例えば、該貸球排出規制信号が入力される直前に第３アンド回路１８８より供給された貸球排出数信号のみを無効とするように構成してもよい。また、貸球要求信号が無効となることによって、当該無効とされた貸球要求信号に基づく貸球排出終了信号が入力されないことで、排出エラーが生じないように、無効とした貸球要求信号についての貸球要求エラーメッセージ等をカード制御手段９へ送出するように構成してもよい。
　【０１５９】
　一方、貸球排出動作制御手段１９１は、貸球排出中継続して、貸球排出中信号を貸球排出中信号線Ｌ２３を介して表示駆動手段１６６、音声出力要求手段１６４へ出力し、貸球排出中であることを貸球排出表示部１８に表示させると共に、遊技盤制御手段１３２の制御に基づく所定の音声をスピーカ１２６より出力させるのである。この貸球排出中信号は賞球排出手段１８０および球抜排出手段１８３および停電制御手段１８１へも供給されるものとしてあり、貸球排出手段１８２の制御に基づく貸球排出動作が行われている間においては、賞球排出動作および球抜排出動作が規制されると共に、停電等によるシステムの強制ダウンが生じた場合のバックアップを可能ならしめるのである。
　【０１６０】
　また、貸球排出動作制御手段１９１は、貸球排出動作が終了することに伴って、貸球排出終了信号を貸球排出終了信号線Ｌ２５を介して情報出力手段１６５及び貸球排出確定信号出力手段１６８へ出力し、管理装置１３４への売上情報出力を可能にすると共に、球貸要求信号として供給された貸球排出要求分の球排出動作が終了したことを意味する払出完了信号をカード制御装置９へ出力させるのである。なお、上記したように、貸球排出手段１８２内の貸球排出動作制御手段１９１より情報出力手段１６５へ排出貸球数を出力するものに限らず、例えば最小価値単位に該当する貸球数を一単位として出力するようにしてもよい。
　【０１６１】
　また、停電等による強制停止時に貸球排出残数が停電制御手段１８１に記憶保持されていた場合に、当該パチンコ機１の復旧時には、停電制御手段１８１より上記貸球排出数記憶・演算手段１９０へ貸球排出残数記憶信号線Ｌ３４を介して貸球排出残数記憶信号が入力されると共に、貸球排出続行信号線Ｌ３６を介して貸球排出続行信号が貸球排出動作制御手段１９１へ供給されることによって、貸球排出数記憶・演算手段１９０より貸球排出残数信号が供給された貸球排出動作制御手段１９１は、第１，第２排出ソレノイド駆動指令信号を排出ソレノイド駆動手段１８４へ出力する。かくして、貸球排出動作が続行されるのである。
　【０１６２】
　なお、貸球排出数記憶演算手段１９０及び貸球上限判定手段１９２には、カード制御手段９よりカード信号線Ｌ１８を介してカード信号が入力されるものとしてあり、このカード信号が入力されていることに基づいて、貸球排出数記憶・演算手段１９０及び貸球上限判定手段１９２は貸球排出動作に関連した各制御動作が可能な状態となるのである。そして、貸球排出動作中にプリペイドカード１３１が排出されることで、カード制御装置９内プリペイドカード１３１が存在しない状態となったような場合には、カード信号がカード制御装置９より出力されなくなるために、貸球上限判定手段１９２は貸球要求信号に基づく貸球数の記憶が消去され、貸球排出数記憶・演算手段１９０は全ての貸球排出動作を行うことなく、貸球排出動作制御手段１９１による排出動作を終了させる。
　【０１６３】
　なお、貸球排出動作の強制終了に際しては、貸球排出動作制御手段１９１から貸球排出終了信号が出力された時点（貸球可能な最小価値単位の整数倍分の貸球排出が終了した時点）で、貸球排出動作制御手段１９１から排出ソレノイド駆動手段１８４への第１，第２排出ソレノイド駆動指令信号が停止するように、貸球排出数記憶・演算手段１９０が貸球排出残数信号を調整する。斯くすることによって、プリペイドカード１３１の残度数が半端になってしまうことを防止できる。また、カード信号を貸球排出動作制御手段１９１へ供給するように構成しておき、該カード信号が停止された後、貸球排出終了信号を出力するまでの間だけ貸球排出動作を継続するようにしてもよい。
　【０１６４】
　図２６に示すように、上記停電制御手段１８１は、停電等により排出制御装置１３３の動作に必要な電源供給が絶たれた場合に、賞球排出中の賞球排出手段１８０から賞球排出残数信号線Ｌ２９を介して入力された賞球排出残数信号に基づく賞球排出残数、もしくは、貸球排出中の貸球排出手段１８２から貸球排出残数信号線Ｌ３３を介して入力された貸球排出残数信号に基づく貸球排出残数を記憶保持することで、排出動作中のシステムダウンに対するバックアップを図るものであり、電源復帰の際には、賞球排出手段１８０へ賞球排出残数記憶信号および賞球排出続行信号を送出することで賞球排出動作の続行を、或いは貸球排出手段１８２へ貸球排出残数記憶信号および貸球排出続行信号を送出することで貸球排出動作の続行を、夫々可能にするのである。
　【０１６５】
　そして、上記制御を可能ならしめるために、停電制御手段１８１には、排出球数記憶データバックアップ手段１９４、排出態様バックアップ手段１９５、停電検出手段１９６、排出続行制御手段１９７、停電回復検出手段１９８を設けてある。
　【０１６６】
　賞球排出手段１８０より賞球排出残数信号線Ｌ２９を介して停電制御手段１８１に供給される賞球排出残数信号は、２入力の第４アンド回路１９９の一方の入力側に、賞球排出手段１８０より賞球排出中信号線Ｌ２２を介して停電制御手段１８１に供給される賞球排出中信号は、上記第４アンド回路１９９の他方の入力側に、夫々入力されるものとしてあり、これら両信号の入力に伴って、上記第４アンド回路１９９のゲート出力として、排出球数記憶信号が排出球数記憶データバックアップ手段１９４に入力される。そして、この排出球数記憶信号に基づく排出球数が排出球数記憶データバックアップ手段１９４に記憶保持されるのである。
　【０１６７】
　また、貸球排出手段１８２より貸球排出残数信号線Ｌ３３を介して停電制御手段１８１に供給される貸球排出残数は、２入力の第５アンド回路２００の一方の入力側に、停電制御手段１８１より貸球排出中信号線Ｌ２３を介して停電制御手段１８１に供給される貸球排出中信号は、上記第５アンド回路２００の他方の入力側に、夫々入力されるものとしてあり、これら両信号の入力に伴って、上記第５アンド回路２００のゲート出力として、排出球数記憶信号が排出球数記憶データバックアップ手段１９４に入力される。そして、この排出球数記憶信号に基づく排出球数が排出球数記憶データバックアップ手段１９４に記憶保持されるのである。
　【０１６８】
　また、賞球排出中信号線Ｌ２２を介して賞球排出手段１８０より入力される賞球排出中信号および貸球排出中信号線Ｌ２３を介して貸球排出手段１８２より入力される貸球排出中信号は、夫々排出態様バックアップ手段１９５にも供給されるものとしてあり、この排出態様バックアップ手段１９５は、排出球数記憶データバックアップ手段１９４に記憶保持された排出球数が、賞球排出用の残数であるのか、貸球排出用の残数であるのかを判別するための排出態様を記憶する。すなわち、賞球排出中信号が入力されている間に停電が発生した場合には、賞球排出中信号に基づく“賞球排出態様”を記憶保持し、貸球排出中信号が入力されている間に停電が発生した場合には、貸球排出中信号に基づく“貸球排出態様”を記憶保持するのである。斯くすることによって、停電回復時に再開させるべき球排出動作の再開指令を確実に、賞球排出手段１８０か貸球排出手段１８２に送出できるのである。
　【０１６９】
　なお、上記のごとく、排出態様を記憶保持するための排出態様バックアップ手段１９５を設けることなく、例えば、第４アンド回路１９９より出力される信号を第１排出球数信号、第５アンド回路２００より出力される信号を第２排出球数記憶信号として、第１，第２排出球数記憶信号を記憶保持するためのメモリ領域を排出球数記憶データバックアップ手段１９４内に別途設けるように構成したり、第１排出球数記憶信号専用のバックアップ手段と第２排出球数記憶信号専用のバックアップ手段とを別個に設けてもよい。
　【０１７０】
　また、排出球数記憶データバックアップ手段１９４及び排出態様バックアップ手段１９５は、電源供給停止後にも記憶保持可能なものであれば何でもよく、例えばバックアップ用の電池等を別途設けておき、このバックアップ電源によってこれらの記憶が保持されるように構成してもよいし、排出球数記憶データバックアップ手段１９４及び排出態様バックアップ手段１９５のみ不揮発性のメモリを使用して、停電検出手段１９６より停電信号線Ｌ３７を介して停電信号が入力された際の排出球数信号および排出態様をメモリに書き込むように構成してもよい。
　【０１７１】
　上記のようにして、停電時の排出動作に対するバックアップが完了した後に、停電回復検出手段１９８が停電回復を検出することに基づいて停電回復信号線Ｌ３８を介して停電回復信号を排出続行制御手段１９７へ出力すると、該排出続行制御手段１９７は、排出球数記憶データバックアップ手段１９４より排出残数信号線Ｌ３９を介して供給される排出残数信号と、排出態様バックアップ手段１９５より排出態様信号線Ｌ４０を介して供給される排出態様信号とに基づいて、賞球排出手段１８０へ賞球排出残数記憶信号および賞球排出続行信号を出力、或いは貸球排出手段１８２へ貸球排出残数記憶信号および貸球排出続行信号を出力するのである。斯くして、賞球排出手段１８０による賞球排出動作もしくは貸球排出手段１８２による貸球排出動作が続行されるのである。
　【０１７２】
　図２７に示すように、上記球抜排出手段１８３は、球抜センサ１１２のセンサ出力に基づいて、遊技媒体の排出流路を切り換えることにより、島設備の内部に設けた球回収樋へ排出することで、当該パチンコ機１に供給された球を抜き落すものであり、この制御を行うために、球抜排出手段１８３には、球抜制御手段２０１、排出動作制御手段２０２及び球抜ソレノイド駆動手段２０３を設けてある。
　【０１７３】
　球抜センサ１１２より発された検出出力は、球抜排出手段１８３の球抜制御手段２０１に供給され、この検出出力に基づいて、球抜制御手段２０１は排出動作指令信号線Ｌ４１を介して排出動作指令信号を排出動作制御手段２０２へ供給すると共に、球抜排出用に排出流路を切り換えるための流路変換指令信号を流路変換指令信号線Ｌ４２を介して球抜ソレノイド駆動手段２０３へ供給する。そして、排出動作指令信号が入力された排出動作制御手段２０２は、第１，第２排出ソレノイド駆動指令信号を排出ソレノイド駆動手段１８４へ送出し、これによって遊技媒体排出装置６４内及びその上流側（球貯留タンク６２及び誘導樋６３）に停留している球を流下させるのである。一方、流路変換指令信号が入力された球抜ソレノイド駆動手段２０３は、球抜ソレノイド１２３を駆動させて、球抜ゲート１２１を変換させ、遊技媒体排出装置６４より排出された排出球を球抜き樋１２０へ導くようにする。
　【０１７４】
　上記のようにして球抜き処理が開始され、遊技媒体排出装置６４より球が排出されると、排出球検出手段１８５から第１，第２排出球検出信号線Ｌ２８ａ，２８ｂを介して排出球検出信号が球抜制御手段２０１に入力される。そして、球抜制御手段２０１は排出球検出手段１８５よりの検出信号が例えば３秒間継続して入力されない状態を球抜処理の完了と看倣し、排出動作制御手段２０２への排出動作指令信号を停止すると共に、球抜ソレノイド駆動手段２０３への流路変換指令信号を停止して、球抜処理を終了する。
　【０１７５】
　この球抜処理の終了に際して、球抜制御手段２０１は球抜ソレノイド駆動手段２０３へ短いパルス状の流路変換指令信号を２回送信し、球抜ゲート１２１の開閉動作を２回行わせるようにしてある。斯くすることによって、球抜ゲート１２１の近傍に滞留していた球があった場合、この球を球抜ゲート１２１が噛み込んで、球抜き樋１２０への流路を完全に閉塞できない状態が生ずることを防止できる。また、球抜処理が行われた直後に再び球抜センサ１１２が検出出力を発した場合等、球無し状態において球抜処理が要求された場合には、球抜処理の開始から１秒間継続して排出球検出手段１８５から検出出力が得られないことから、直ちに球抜処理を終了させる。
　【０１７６】
　なお、球抜センサー１２より検出出力が入力された際に、賞球排出手段１８０から賞球排出中信号線Ｌ２２を介して賞球排出中信号が入力されていた場合、もしくは貸球排出手段貸球排出手段１８２から貸球排出中信号線Ｌ２３を介して貸球排出中信号が入力されていた場合には、球抜制御手段２０１が球抜センサ１１２の検出出力を無効とすることで、球抜動作の開始を規制する。また、球抜動作を行っている間、球抜制御手段２０１は球抜排出中信号線Ｌ３１を介して球抜排出中信号を賞球排出手段１８０及び貸球排出手段貸球排出手段１８２へ出力し、賞球排出手段１８０もしくは貸球排出手段貸球排出手段１８２が球排出動作を行うことを規制する。
　【０１７７】
　次に、カード制御装置９について詳述する。カード制御装置９は図２８に示すように、通貨と等価な有価データが記録されたパチンコ遊技用のプリペイドカード１３１から有価データを読み出し、該有価データの範囲内で遊技者が選択した球貸ボタン１１に対応する球貸数に応じた球貸要求信号を排出制御装置１３３へ送出すると共に、該球貸要求信号に応じた球を排出制御装置１３３が遊技者に貸し出したことに基づいて、プリペイドカード１３１の有価データを書き換えるカード制御手段２０４を単一基板に設けて構成したものである。
　【０１７８】
　また、カード制御装置９には球貸ボタン押圧表示駆動手段２０５を設けてあり、上記カード制御手段２０４が押圧選択有りと判定した選択スイッチ１１ａ〜１１ｄの何れかに対応する選択スイッチの種別を示す押圧ボタン種別信号が、押圧ボタン種別信号線Ｌ４３を介して入力されることに伴って、この球貸ボタン押圧表示駆動手段２０５が押圧ボタン種別に対応する第１〜第４選択表示部１３ａ〜１３ｄの何れかを点灯表示させる。なお、球貸ボタン押圧表示駆動手段２０５が行う球貸ボタン押圧表示部１３への駆動出力は、例えばカード制御手段２０４より球貸要求信号線Ｌ１５を介して球貸要求信号が入力されている間継続して行われるものとしてある。
　【０１７９】
　さらに、カード制御装置９には、カード保持表示駆動手段２０６及び金額表示手段２０７を設けてあり、プリペイドカード１３１がカード制御装置９内に挿入・保持されていることに関連してカード制御手段２０４よりカード信号線Ｌ１８を介して出力されるカード信号が供給されることに基づいて、カード保持表示駆動手段２０６はカード保持表示部１６を点灯表示させ、金額表示手段２０７は、挿入された状態のプリペイドカード１３１よりカード制御手段２０４が読み出した有価データを遊技者に可視表示するのである。なお、金額表示手段２０７には、挿入残高表示駆動手段２０８と残高表示駆動手段２０９を設けてあり、挿入残高表示駆動手段２０８はカード制御手段２０４より挿入残高信号線Ｌ４４を介して入力される挿入残高信号に基づく挿入残高表示駆動信号を挿入残高表示部１５に出力し、残高表示駆動手段２０９はカード制御手段２０４より残高信号線Ｌ４５を介して入力される残高信号に基づく残高表示駆動信号を残高表示部１４に出力するのである。
　【０１８０】
　次に、カード制御手段２０４について詳述する。カード制御手段２０４には、直接プリペイドカード１３１の読み込み、書き換えを行うカード読込・書換制御手段２１０と、遊技者が選択した球貸ボタン１１の選択スイッチを識別して球貸数を判定する球貸数判定手段２１１と、該球貸数判定手段２１１より球貸数信号線Ｌ４６を介して入力される球貸数信号に基づく球貸要求信号を球貸要求信号線Ｌ１５を介して排出制御装置１３３へ出力する球貸要求手段２１２とから構成してある。
　【０１８１】
　上記カード読込・書換制御手段２１０にはカード残高読込・記憶手段２１３を設けてあり、該カード残高読込・記憶手段２１３はプリペイドカード１３１のカード残高を読み込むと共に、挿入された際のカード残高を記憶保持し、このプリペイドカード１３１が排出されるまで挿入残高信号を挿入残高信号線Ｌ４４を介して挿入残高表示駆動手段２０８及び残高記憶手段２１４へ出力する。上記のようにして残高記憶が供給された残高記憶手段２１４は、残高信号線Ｌ４５を介して残高表示駆動手段２０９、カード残高判定手段２１５及びパンチ孔加工手段２１６へ残高信号を送出する。
　【０１８２】
　また、カード制御装置９内にプリペイドカード１３１が挿入されたことに基づいて、カード保持制御手段２１７は、カード信号線Ｌ１８を介して排出制御装置１３３、球貸数判定手段２１１、カード保持表示駆動手段２０６及びパンチ孔加工手段２１６ヘカード信号を出力する。なお、残高記憶手段２１４から発された残高信号に基づくカード残高が“０”であった場合に、カード残高判定手段２１５より残高ゼロ信号線Ｌ４７を介して残高ゼロ信号が入力されると、カード保持制御手段２１７は強制的にプリペイドカード１３１を排出すると共に、記憶クリア信号線Ｌ４８を介してカード残高読込・記憶手段２１３及び残高記憶手段２１４へ記憶クリア信号を出力し、カード残高読込・記憶手段２１３の挿入残高記憶および残高記憶手段２１４の残高記憶をクリアする。
　【０１８３】
　上記カード読込・書換制御手段２１０のカード保持制御手段２１７よりカード信号が入力されることで能動化される球貸数判定手段２１１は、球貸ボタン１１よりの選択情報を判定可能となり、第１〜第４選択スイッチ１１ａ〜１１ｄの何れかが選択されたことに基づく球貸数信号を球貸数信号線Ｌ４６を介して球貸要求手段２１２へ出力すると共に、選択されたスイッチの種別を示す押圧ボタン種別信号を、押圧ボタン種別信号線Ｌ４３を介して球貸ボタン押圧表示駆動手段２０５へ供給する。
　【０１８４】
　そして、球貸数判定手段２１１より球貸数信号か供給された球貸要求手段２１２は、排出制御装置１３３が貸球排出可能状態であることを示すＰ台レディ信号がＰ台レディ信号線Ｌ１６を介して入力されている場合に、球貸数信号に基づく球貸要求信号を球貸要求信号線Ｌ１５を介して排出制御装置１３３、球貸ボタン押圧表示駆動手段２０５、球貸数判定手段２１１及びカード読込・書換制御手段２１０へ送出する。該球貸要求信号が入力されることに基づいて、排出制御装置１３３は貸球排出動作を行い、球貸ボタン押圧表示駆動手段２０５は押圧ボタン種別信号に基づく押圧ボタン表示出力（第１〜第４選択表示部１３ａ〜１３ｄの何れかを点灯）を行い、球貸数判定手段２１１は他の球貸要求を無効とする。
　【０１８５】
　また、球貸要求手段２１２より球貸要求信号が入力されるカード読込・書換制御手段２１０のカード保持制御手段２１７は、返却ボタン１２からのカード返却要求信号を無効として、球貸ボタン１１が選択されたことに基づく貸球排出動作が完了するまでプリペイドカード１３１の排出動作を規制する。なお、上記返却ボタン１２のカード返却要求信号は球貸要求手段２１２へも供給されるものとしてあり、例えば貸球可能な最小単位毎に１パルスの球貸要求信号が全て送出される前にカード返却要求信号が入力された場合には、以降の球貸要求信号の送出を停止するように構成してある。したがって、遊技者が本来「３度数」の球貸要求を行うつもりで「５度数」の球貸ボタンを選択してしまったような場合には、この返却ボタン１２を操作することで、不本意な球貸要求の一部についてキャンセルすることが可能になるのである。
　【０１８６】
　上記のようにしてカード制御装置９より為された球貸要求に基づいて、排出制御装置１３３が所定数の貸球排出動作を完了すると、排出制御装置１３３の貸球排出動作確定信号出力手段１６８より払出完了信号線Ｌ１７を介して払出完了信号がカード制御装置９のカード読込・書換制御手段２１０に供給される。なお、上記した所定信号レベルの球貸要求信号を排出制御装置１３３へ送出するように構成した場合には、この払出完了信号を球貸要求手段２１２へも供給するように構成（図２８中破線で示す信号線）することで、球貸要求信号の出力停止タイミング等に供することができる。
　【０１８７】
　払出完了信号はカード読込・書換制御手段２１０の金額減算手段２１８へ入力され、これに伴って金額減算手段２１８は、残高記憶手段２１４の残高記憶から貸球排出動作が行われた分だけ減算すると共に、プリペイドカード１３１の残高も書き換えるのである。なお、プリペイドカード１３１の残高書換動作は、貸球排出動作が完了する毎に行わず、プリペイドカード１３１の排出動作時に一括して行うようにしてもよい。また、払出完了信号は決済情報出力手段２１９へも入力されるものとしてあり、この決済情報出力手段２１９は排出制御装置１３３が行った球貸数に等しい決済情報を決済情報信号線Ｌ１９を介してカード管理装置１３５へ出力する。
　【０１８８】
　なお、上記したように、排出制御装置１３３より払出完了信号が出力されるタイミングは、球貸可能な最小単位に等しい量の貸球排出が行われる毎に出力されるものとしてあるので、払出完了信号が入力される毎に金額減算手段２１８が残高記憶手段２１４から残高記憶を減算し、この残高記憶が“ゼロ”になった時点でカード残高判定手段２１５が残高ゼロ信号をカード保持制御手段２１７へ送出し、該信号が入力されることに伴ってカード保持制御手段２１７はプリペイドカード１３１を強制排出し、記憶クリア信号を出力すると共に、カード信号の出力を停止する。したがって、プリペイドカード１３１の残高記憶を上回る球貸要求が為された場合には、プリペイドカード１３１の残高記憶分の貸球排出動作が行われた時点でカード信号が停止されるので、プリペイドカード１３１のカード残高以上の貸球排出動作が為されることはない。
　【０１８９】
　また、上記のようにしてカード信号が停止される前に次の貸球排出動作が開始されることがないように、貸球可能な最小価値単位分の貸球排出動作が終了した後に適宜なインターバルタイムを設け、該インターバルタイムの後に次の最小価値単位分の貸球排出動作を行わせるのである。
　【０１９０】
　さらに、本実施例においては、カード保持制御手段２１７がカード信号の出力を停止することによって、パンチ孔加工手段２１６がプリペイドカード１３１に穿孔処理を施すものとしてある。例えば、このパンチ孔を穿つ位置は所定のカード残高毎に数ケ所と予め定めておき、このカード残高を下回っていた場合にパンチ孔を穿つのである。なお、パンチ孔加工処理は、カード排出の際に一括して行う場合に限らず、カード残高が所定度数を下回る毎に行うように構成してもよい。
　【０１９１】
　以上、遊技盤制御装置１３２、排出制御装置１３３及びカード制御装置９の具体的構成例について説明したが、各制御装置の構成は上記実施例に限定されるものではなく、所定の制御動作が可能であればよい。
　【０１９２】
　例えば、カード制御装置９より排出制御装置１３３へ出力する球貸要求信号は所定時間幅のパルス信号に限らず、所定の貸球排出動作が行われるまでの間継続して所定信号レベルの球貸要求を行うように構成してもよい。斯く構成した場合、排出制御装置１３３の貸球排出手段１８２が一定サイクル（例えば４００ｍｓ）で球貸可能な最小価値単位分の球排出動作を行うようにすれば、貸球排出動作中における返却ボタン１２の操作や残高記憶手段２１４の残高記憶が“０”になることに基づいて、球貸要求手段２１２から球貸要求信号が出力されなくなった後の貸球排出動作が無効となり、球貸要求のキャンセルやカード残高以上の貸球排出動作の規制を行うことができる。
　【０１９３】
　また、上記のように構成した場合、球貸要求信号が所定時間（例えば５ｍｓ）継続して所定の電位レベル（例えば通常時の“Ｈレベル”から“Ｌレベル”）になったことに基づいて、排出制御装置１３３よりＰ台レディ信号が出力（例えば通常の“Ｈレベル”から“Ｌレベル”に変化）されると共に、球貸要求信号が入力されている間Ｐ台レディ信号を継続してカード制御装置９へ出力するように構成し、予め設定した貸球上限回数（例えば５回）分の貸球排出動作を連続して行った後も球貸要求信号が停止されない場合には、このＰ台レディ信号を停止（通常時の“Ｈレベル”に復帰）させ、このＰ台レディ信号が常態に復帰することに基づいて、カード制御装置９が球貸要求信号を停止させると共に他の球貸要求を無効とすることで、貸球排出動作の連続回数を規制するための貸球排出禁止処理を行うことができる。
　【０１９４】
　なお、この貸球排出禁止処理の解除は、貸球要求信号が所定時間（例えば５ｍｓ）継続して通常の電位レベル（ハイレベル）になることで、自動的に行われるものとする。
　【０１９５】
　また、以上説明した遊技盤制御装置１３２、排出制御装置１３３、カード制御装置９間の信号授受は負論理・フォトカプラ絶縁方式により接続するものとしてあり、一例として、排出制御装置１３３とカード制御装置９間の信号送受信構成を図３０に基づいて説明する。
　【０１９６】
　排出制御装置１３３より出力される払出完了信号は、１対の信号ライン（以下、第１信号ラインＬ１７ａ、第２信号ラインＬ１７ｂとする。）よりなる払出完了信号線Ｌ１７を介してカード制御装置９へ送信されるものとしてある。そして、第１ラインＬ１７ａの排出制御装置１３３側には電源が、第２信号ラインＬ１７ｂの排出制御装置１３３側には第１スイッチ素子２２０（例えばエミッタ接地のＮＰＮ型トランジスタ）のコレクタが、夫々接続されるものとしてあり、第１ラインＬ１７ａのカード制御装置９側と第２信号ラインＬ１７ｂのカード制御装置９側には、第１フォトカプラ２２１のフォトダイオード２２１ａが順方向に接続されるようにしてある。そして、第１スイッチ素子２２０のベースに払出完了信号が入力されるようにしてあり、第１フォトカプラ２２１のフォトトランジスタ２２１ｂのコレクタには、電源電圧が印加されるようにしてある。
　【０１９７】
　上記構成により、第１スイッチ素子２２０に払出完了信号が入力されていない常態においては、払出完了信号線Ｌ１７の電位レベルは排出制御装置１３３側の電源電位に等しいハイレベルとなり、払出完了信号が入力された場合には第１スイッチ素子２２０がオンすることで、払出完了信号線Ｌ１７の電位レベルは電源電位よりも低いローレベルとなる。一方、フォトダイオード２２１ａがオンしていない常態においては、カード制御装置９側の払出完了信号は電源電位に等しいハイレベルであるが、払出完了信号線Ｌ１７に電流が流れることで順方向接続の２２１が発光すると、これに伴ってフォトトランジスタ２２１ｂがオンし、ローレベルの払出完了信号が得られるのである。
　【０１９８】
　また、第１信号ラインＬ１８ａ及び第２信号ラインＬ１８ｂよりなるカード信号線Ｌ１８の排出制御装置１３３側には第２フォトカプラ２２２を、カード制御装置９側には第２スイッチ素子２２３を夫々接続し、第１信号ラインＬ１５ａ及び第２信号ラインＬ１５ｂよりなる球貸要求信号線Ｌ１５の排出制御装置１３３側には第３フォトカプラ２２４を、カード制御装置９側にはスイッチ素子２２５を夫々接続し、第１ラインＬ１６ａ及び第２信号ラインＬ１６ｂよりなるＰ台レディ信号線Ｌ１６の排出制御装置１３３側には第４スイッチ素子２２６を、カード制御装置９側には第４フォトカプラ２２７を夫々接続し、上記した払出完了信号線と同様な信号の送受信構成とすることができる。
　【０１９９】
　上記のように、交信信号を負論理とすることにより、排出制御装置１３３とカード制御装置９間を接続するコネクタの抜けによって、各装置が誤作動することを防止できる。また、発光素子および受光素子から構成されるフォトカプラにより電気的絶縁を保持して、球貸排出可能信号であるＰ台レディ信号，球貸要求の信号である球貸要求信号，球貸最小単位量排出完了信号である払出完了信号等の送受信を行うので、一方の装置に損壊が生じた場合に、信号線を介して過大電流が他方の装置に流れる等して、双方の装置がダウンするような事態を避けられる。
　【０２００】
　【発明の効果】
　以上説明したように、請求項１に係る遊技機においては、遊技機の球貸排出制御手段に設けた球貸排出可能状態連絡手段から球貸排出可能信号が送信されたか否かによって、カードユニットは、当該遊技機が球貸のための遊技球の排出制御が可能か否かを知ることができ、球貸排出制御手段からカードユニットへ送信される球貸排出可能信号とカードユニットから球貸排出制御手段へ送信される球貸要求の信号は、電気的絶縁状態を保持して送受信されるので、遊技機の球貸排出制御手段による球貸のための遊技球の排出制御が正常に行えないような場合に、カードユニットから球貸要求の信号を球貸排出制御手段へ送信して、カードユニットで受け付けた球貸要求が無効となるような事態を未然に回避でき、しかも、球貸排出制御手段もしくはカードユニットの何れか一方の装置に損壊が生じた場合に、信号線を介して過大電流が他方の装置に流れる等して、双方の装置がダウンするような事態を避けられので、遊技機による球貸動作の安全性、正確性を担保することが可能となる。
　【０２０１】
　従って、遊技機側の球排出機構を使用して球貸を行う構成を採用して、球貸のための遊技球を上皿等に直接排出するものとしても、遊技者に不信感を与えることを効果的に防ぐことができ、球貸専用の球排出機構を別途設けない事による種々のメリットを実現できる。
　【０２０２】
　すなわち、島設備の遊技球循環機構から台間球貸装置へ遊技球を供給する必要がなく、島設備の構造を簡略化でき、遊技機側の球排出機構を使用して球貸を行うことから、球貸分の遊技球が排出されるとそのまま上皿に案内されるので、遊技者は遊技球に直接触る必要がなく、遊技者の手が汚れたり、球を床にこぼすこともないので、遊技中に球貸を受ける場合であっても遊技に集中できる。加えて、既存の島設備と配置構成の互換性が保てるように、従来の台間球貸装置の挿着部分にカードユニットを装着して、遊技機と別設することで、保守や修理が容易になるし、カードユニットもしくは遊技機の何れか一方が故障したときには、故障した方のみを完動品と交換して対処することもできるし、比較的頻繁に行われる遊技機の入れ替え時には、カードユニットを残して継続使用できるので、遊技店の経済的負担も軽減できる。また、カードユニットには遊技球排出機構を設ける必要がないことから、カードユニット自体の構造を簡略化でき、低コストで供給できる。
　【０２０３】
　また、請求項２に係る遊技機によれば、遊技機の球貸排出制御手段が、球貸要求信号に対応して実行する球貸のための遊技球の排出を、球貸の最小単位毎に排出制御するとともに、最小単位量の排出が終了したことに基づいて、前記カードユニットへ最小単位量の球貸が完了したことを連絡するための球貸最小単位量排出完了信号を送信するものとしたので、カードユニットは、球貸最小単位量を基準とした球貸動作の進行状況を知ることができ、しかも、球貸排出制御手段からカードユニットへ送信される球貸最小単位量排出完了信号は電気的絶縁状態を保持して送受信されるので、例えば球貸処理中に球貸排出制御手段等に不具合が生じて、遊技者の貸出要求分の貸球排出が完了する前に排出制御が中断されたような場合でも、カードユニット側で球貸最小単位量を基準とした球貸動作がどこまで終了したかを把握しているので、遊技者の球貸要求に相当する球貸動作を確実に行うことができ、しかも、球貸排出制御手段もしくはカードユニットの何れか一方の装置に損壊が生じた場合に、信号線を介して過大電流が他方の装置に流れる等して、双方の装置がダウンするような事態を避けられので、遊技機としての信頼性を一層高めることができると共に、遊技者に著しい迷惑をかけることがない。
【図面の簡単な説明】
　【図１】
　球貸機能を遊技機と一体にしたパチンコ機の斜視図である。
　【図２】
　遊技盤の正面図である。
　【図３】
　可変表示装置の正面図である。
　【図４】
　同可変表示装置の斜視図である。
　【図５】
　変動入賞装置の斜視図である。
　【図６】
　パチンコ機の裏面図である。
　【図７】
　セーフ球払出機構を設けた調流樋の拡大概略図である。
　【図８】
（ａ）はオン状態における排出待機球検出機構部の概略図である。
（ｂ）はオフ状態における排出待機球検出機構部の概略図である。
　【図９】
　遊技媒体排出装置の概略断面図である。
　【図１０】
（ａ）はオフ状態における遊技媒体排出機構部の概略図である。
（ｂ）はオン状態における遊技媒体排出機構部の概略図である。
　【図１１】
　カードユニットを補助枠として分離した本発明に係る遊技機を含むパチンコ機の斜視図である。
　【図１２】
　同パチンコ機を島設備に組込んだ状態を示す斜視図である。
　【図１３】
　カード制御機能を全て補助枠に分離したパチンコ機の斜視図である。
　【図１４】
　同パチンコ機を島設備に組込んだ状態を示す斜視図である。
　【図１５】
　パチンコ機における遊技制御・排出制御・球貸制御を行うための制御機構の概略構成を示すブロック図である。
　【図１６】
　遊技盤制御装置の構成概略を示すブロック図である。
　【図１７】
　音声出力手段の構成概略を示すブロック図である。
　【図１８】
　排出制御装置の構成概略を示すブロック図である。
　【図１９】
　排出開始条件確認手段の構成概略を示すブロック図である。
　【図２０】
　音声出力要求手段の構成概略を示すブロック図である。
　【図２１】
　情報出力手段の構成概略を示すブロック図である。
　【図２２】
　表示駆動手段の構成概略を示すブロック図である。
　【図２３】
　排出制御手段の構成概略を示すブロック図である。
　【図２４】
　賞球排出手段の構成概略を示すブロック図である。
　【図２５】
　貸球排出手段の構成概略を示すブロック図である。
　【図２６】
　停電制御手段の構成概略を示すブロック図である。
　【図２７】
　球抜排出手段の構成概略を示すブロック図である。
　【図２８】
　カード制御装置の構成概略を示すブロック図である。
　【図２９】
　カード読込・書換制御手段の構成概略を示すブロック図である。
　【図３０】
　負論理・フォトカプラ絶縁による信号送受信のための、信号出力部および信号入力部における回路図である。
　【符号の説明】
　　　９　カード制御装置
　１２７　補助枠
　１３１　プリペイドカード
　１３３　排出制御装置
　１５８　排出制御手段
　１８２　貸球排出手段